(57)【要約】【課題】ＷＬＡＮ（Ｗｉｒｅｌｅｓｓ  Ｌｏｃａｌ  Ａｒｅａ  Ｎｅｔｗｏｒｋ）システムにおけるＳＴＡ（Ｓｔａｔｉｏｎ）装置のデータ送信方法を提供する。【解決手段】本発明の実施の形態にかかるデータ送信方法は、送信データをＦＥＣエンコードするステップと、送信データを星状図マッピングするステップと、送信データにパイロットトーンを挿入するステップと、送信データに対してＩＤＦＴ（Ｉｎｖｅｒｓｅ  Ｄｉｓｃｒｅｔｅ  Ｆｏｕｒｉｅｒ  Ｔｒａｎｓｆｏｒｍ）を行うステップと、送信データをアップコンバートして、送信信号を送信するステップとを含み、送信信号にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）スキームを適用する場合、送信信号は、ＯＦＤＭＡスキームのサブキャリヤ割り当ての単位になる少なくとも一つのトーンユニットを含む。【選択図】図１
2017530583.tif 000002
【特許請求の範囲】
【請求項１】
ＷＬＡＮシステムにおけるＳＴＡ装置のデータ送信方法であって、
送信データをＦＥＣエンコードするステップと、
送信データを星状図マッピングするステップと、
送信データにパイロットトーンを挿入するステップと、
送信データに対してＩＤＦＴを行うステップと、
前記送信データをアップコンバートして、送信信号を送信するステップと、を含み、
前記送信信号にＯＦＤＭＡスキームを適用する場合、前記送信信号は、ＯＦＤＭＡスキームのサブキャリヤ割り当ての単位になる少なくとも一つのトーンユニットを含む、ＳＴＡ装置のデータ送信方法。
【請求項２】
前記少なくとも一つのトーンユニットは、２６トーンユニット、５２トーンユニット、または２４２トーンユニットのうち、少なくとも一つを含む、請求項１に記載のＳＴＡ装置のデータ送信方法。
【請求項３】
前記２６トーンユニットは、２個のパイロットトーンを含み、前記５２トーンユニットは、４個のパイロットトーンを含み、前記２４２トーンユニットは、８個のパイロットトーンを含む、請求項２に記載のＳＴＡ装置のデータ送信方法。
【請求項４】
前記２６トーンユニットに含まれた前記２個のパイロットトーンは、前記２６トーンユニットの７番目のトーン及び２０番目のトーンに挿入される、請求項３に記載のＳＴＡ装置のデータ送信方法。
【請求項５】
前記５２トーンユニットに含まれた前記４個のパイロットトーンは、前記５２トーンユニットの７番目のトーン、２０番目のトーン、３３番目のトーン及び４６番目のトーンに挿入される、請求項３に記載のＳＴＡ装置のデータ送信方法。
【請求項６】
前記２４２トーンユニットは、１個の前記２６トーンユニット及び４個の前記５２-トーンユニットを含む場合、前記２６-トーンユニットがセンターに位置し、センターに位置した前記２６-トーンユニットの両側のサイドに２個の５２トーンユニットがそれぞれ位置する、請求項２に記載のＳＴＡ装置のデータ送信方法。
【請求項７】
ＷＬＡＮシステムにおけるＳＴＡ装置であって、
送信データをＦＥＣエンコードするＦＥＣエンコーダと、
送信データを星状図マッピングするマッパーと、
送信データにパイロットトーンを挿入するパイロット挿入ユニットと、
送信データに対してＩＤＦＴを行うＩＤＦＴユニットと、
前記送信データをアップコンバートして、送信信号を送信するＲＦユニットと、を含み、
前記送信信号にＯＦＤＭＡスキームを適用する場合、前記送信信号は、ＯＦＤＭＡスキームのサブキャリヤ割り当ての単位になる少なくとも一つのトーンユニットを含む、ＳＴＡ装置。
【請求項８】
前記少なくとも一つのトーンユニットは、２６トーンユニット、５２トーンユニット、または２４２トーンユニットのうち、少なくとも一つを含む、請求項７に記載のＳＴＡ装置。
【請求項９】
前記２６トーンユニットは、２個のパイロットトーンを含み、前記５２トーンユニットは、４個のパイロットトーンを含み、前記２４２トーンユニットは、８個のパイロットトーンを含む、請求項８に記載のＳＴＡ装置。
【請求項１０】
前記２６トーンユニットに含まれた前記２個のパイロットトーンは、前記２６トーンユニットの７番目のトーン及び２０番目のトーンに挿入される、請求項９に記載のＳＴＡ装置。
【請求項１１】
前記４２トーンユニットに含まれた前記４個のパイロットトーンは、前記５２トーンユニットの７番目のトーン、２０番目のトーン、３３番目のトーン及び４６番目のトーンに挿入される、請求項９に記載のＳＴＡ装置。
【請求項１２】
前記２４２トーンユニットは、１個の前記２６トーンユニット及び４個の前記５２-トーンユニットを含む場合、前記２６-トーンユニットがセンターに位置し、センターに位置した前記２６-トーンユニットの両側のサイドに２個の５２トーンユニットがそれぞれ位置する、請求項８に記載のＳＴＡ装置。
【発明の詳細な説明】
【技術分野】
【０００１】
本発明は、無線通信システムに関し、さらに詳細には、無線通信システムにおいてＯＦＤＭＡスキームを使用して信号処理を行う場合、リソースブロックを割り当てる方法と割り当てられたリソースブロックに対するパイロット信号の配置方法、及びこのような方法を行う装置に関する。
【背景技術】
【０００２】
ワイパイ（Ｗｉ-Ｆｉ）は、２．４ＧＨｚ、５ＧＨｚまたは６ＧＨｚ周波数帯域において機器がインターネットに接続可能なようにするＷＬＡＮ（Ｗｉｒｅｌｅｓｓ  Ｌｏｃａｌ  Ａｒｅａ  Ｎｅｔｗｏｒｋ）技術である。
【０００３】
ＷＬＡＮは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１標準に基づく。ＩＥＥＥ  ８０２．１１のＷＮＧ  ＳＣ（Ｗｉｒｅｌｅｓｓ  Ｎｅｘｔ  Ｇｅｎｅｒａｔｉｏｎ  Ｓｔａｎｄｉｎｇ  Ｃｏｍｍｉｔｔｅｅ）は、次世代ＷＬＡＮ（ｗｉｒｅｌｅｓｓ  ｌｏｃａｌ  ａｒｅａ  ｎｅｔｗｏｒｋ）を中長期的に悩むアドホック委員会（ｃｏｍｍｉｔｔｅｅ）である。
【０００４】
ＩＥＥＥ  ８０２．１１ｎは、ネットワークの速度と信頼性を増加させ、無線ネットワークの運営距離を拡張するのに目的をおいている。さらに具体的に、ＩＥＥＥ  ８０２．１１ｎでは、最大６００Ｍｂｐｓのデータ処理速度（ｄａｔａ  ｒａｔｅ）を提供する高処理率（ＨＴ：Ｈｉｇｈ  Ｔｈｒｏｕｇｈｐｕｔ）を支援し、また送信エラーを最小化しデータ速度を最適化するために、送信部と受信部の両端ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤をおいている。
【０００５】
ＷＬＡＮの補給が活性化され、またこれを利用したアプリケーションが多様化するにつれて、超高処理率（ＶＨＴ：Ｖｅｒｙ  Ｈｉｇｈ  Ｔｈｒｏｕｇｈｐｕｔ）を支援する次世代ＷＬＡＮシステムは、ＩＥＥＥ  ８０２．１１ｎ  ＷＬＡＮシステムの次のバージョンとして、ＩＥＥＥ  ８０２．１１ａｃが新しく制定された。ＩＥＥＥ  ８０２．１１ａｃは、８０ＭＨｚ帯域幅送信及び／またはより高い帯域幅送信（例えば、１６０ＭＨｚ）を介して、１Ｇｂｐｓ以上のデータ処理速度を支援し、主に５ＧＨｚ帯域で動作する。
【０００６】
最近では、ＩＥＥＥ  ８０２．１１ａｃが支援するデータ処理速度よりさらに高い処理率を支援するための新しいＷＬＡＮシステムに対する必要性が台頭しつつある。
【０００７】
一名ＩＥＥＥ  ８０２．１１ａｘまたは高効率（ＨＥＷ：Ｈｉｇｈ  Ｅｆｆｉｃｉｅｎｃｙ）ＷＬＡＮと呼ばれる次世代ＷＬＡＮスタディグループで主に論議されるＩＥＥＥ  ８０２．１１ａｘの範囲（ｓｃｏｐｅ）は、１）２．４ＧＨｚ及び５ＧＨｚなどの帯域で８０２．１１  ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトル効率性（ｓｐｅｃｔｒｕｍ  ｅｆｆｉｃｉｅｎｃｙ）と領域スループット（ａｒｅａ  ｔｈｒｏｕｇｈｐｕｔ）向上、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際の室内環境及び室外環境での性能向上などを含む。
【０００８】
ＩＥＥＥ  ８０２．１１ａｘにおいて主に考慮されるシナリオは、ＡＰ（ａｃｃｅｓｓ  ｐｏｉｎｔ）とＳＴＡ（ｓｔａｔｉｏｎ）が多い密集環境であり、ＩＥＥＥ  ８０２．１１ａｘは、このような状況でスペクトル効率（ｓｐｅｃｔｒｕｍ  ｅｆｆｉｃｉｅｎｃｙ）と空間送信率（ａｒｅａ  ｔｈｒｏｕｇｈｐｕｔ）の改善について議論する。特に、室内環境だけでなく、従来のＷＬＡＮで多く考慮されなかった室外環境での実質的性能改善に関心を有する。
【０００９】
ＩＥＥＥ  ８０２．１１ａｘでは、無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きく、該当シナリオに基づいてＡＰとＳＴＡが多い密集環境でのシステム性能の向上についての議論が行われている。
【００１０】
今後、ＩＥＥＥ  ８０２．１１ａｘでは、一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能の向上及び室外環境性能の改善、及びセルラオフロード（ｃｅｌｌｕｌａｒ  ｏｆｆｌｏａｄｉｎｇ）などに対する議論が盛んになると予想される。このようなＩＥＥＥ  ８０２．１１ａｘの方向性は、次世代ＷＬＡＮがますます移動通信と類似の技術範囲を有するようになるのを意味する。最近、スモールセル（ｓｍａｌｌ  ｃｅｌｌ）及びＤ２Ｄ（Ｄｉｒｅｃｔ-ｔｏ-Ｄｉｒｅｃｔ）通信領域で移動通信とＷＬＡＮ技術が共に論議されている状況を考慮してみると、ＩＥＥＥ  ８０２．１１ａｘに基づいた次世代ＷＬＡＮと移動通信の技術的及び事業的融合は、さらに盛んになると予測される。
【発明の概要】
【発明が解決しようとする課題】
【００１１】
上述のように、次世代無線ＬＡＮシステムである８０２．１１ａｘシステムのための新しいフレームフォーマット及びヌメロロジー（ｎｕｍｅｒｏｌｏｇｙ）に対する論議が盛んに進められている。
【００１２】
特に、システムのスループット（ｔｈｒｏｕｇｈｐｕｔ）を向上させるか、またはアウトドア環境でのＩＳＩ（ｉｎｔｅｒ-ｓｙｍｂｏｌ  ｉｎｔｅｒｆｅｒｅｎｃｅ）に対する堅牢性（ｒｏｂｕｓｔｎｅｓｓ）を向上させるために、与えられたシステムの帯域幅に従来より増加したＦＦＴサイズを適用すると予想される。また、これと共に、従来の８０２．１１ａｃシステムにおいて提案されたマルチユーザ送信方式をアップリンク状況に拡張し、ＯＦＤＭＡ送信方式の導入に関する論議も伴われている状況である。
【００１３】
特に、ＯＦＤＭＡ方式において使用されるトーンプランに対する議論が現在盛んに進行中であり、与えられた帯域幅をどんなトーンサイズに分割して使用するかが重要に論議されている。また各トーンサイズ別にどのトーン位置にパイロット信号を位置させるかを決定することもまた重要な問題である。
【課題を解決するための手段】
【００１４】
上述の技術的課題を解決するために、本発明の実施の形態にかかるＷＬＡＮシステムのＳＴＡ装置及びＳＴＡ装置のデータ送信方法を提案する。
【００１５】
本発明にかかるＷＬＡＮ（Ｗｉｒｅｌｅｓｓ Ｌｏｃａｌ Ａｒｅａ Ｎｅｔｗｏｒｋ）システムにおけるＳＴＡ（Ｓｔａｔｉｏｎ）装置のデータ送信方法は、送信データをＦＥＣエンコードするステップと、送信データを星状図マッピングするステップと、送信データにパイロットトーンを挿入するステップと、送信データに対してＩＤＦＴ（Ｉｎｖｅｒｓｅ  Ｄｉｓｃｒｅｔｅ  Ｆｏｕｒｉｅｒ  Ｔｒａｎｓｆｏｒｍ）を行うステップと、前記送信データをアップコンバートして、送信信号を送信するステップとを含み、前記送信信号にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）スキームを適用する場合、前記送信信号は、ＯＦＤＭＡスキームのサブキャリヤ割り当ての単位になる少なくとも一つのトーンユニットを含む。
【００１６】
また、本発明にかかるＳＴＡ（Ｓｔａｔｉｏｎ）装置のデータ送信方法において、前記少なくとも一つのトーンユニットは、２６トーンユニット、５２トーンユニット、または２４２トーンユニットのうち、少なくとも一つを含むことができる。
【００１７】
また、本発明にかかるＳＴＡ（Ｓｔａｔｉｏｎ）装置のデータ送信方法において、前記２６トーンユニットは、２個のパイロットトーンを含み、前記５２トーンユニットは、４個のパイロットトーンを含み、前記２４２トーンユニットは、８個のパイロットトーンを含むことができる。
【００１８】
また、本発明にかかるＳＴＡ（Ｓｔａｔｉｏｎ）装置のデータ送信方法において、前記２６トーンユニットに含まれた前記２個のパイロットトーンは、前記２６トーンユニットの７番目のトーン及び２０番目のトーンに挿入されることができる。
【００１９】
また、本発明にかかるＳＴＡ（Ｓｔａｔｉｏｎ）装置のデータ送信方法において、前記５２トーンユニットに含まれた前記４個のパイロットトーンは、前記５２トーンユニットの７番目のトーン、２０番目のトーン、３３番目のトーン及び４６番目のトーンに挿入されることができる。
【００２０】
また、本発明にかかるＳＴＡ（Ｓｔａｔｉｏｎ）装置のデータ送信方法において、前記２４２トーンユニットは、１個の前記２６トーンユニット及び４個の前記５２-トーンユニットを含む場合、前記２６-トーンユニットがセンターに位置し、センターに位置した前記２６-トーンユニットの両側のサイドに２個の５２トーンユニットがそれぞれ位置することができる。
【００２１】
本発明の実施の形態にかかるＷＬＡＮシステムにおけるＳＴＡ装置は、上述のデータ送信方法を行うことができる。本発明の実施の形態にかかるＷＬＡＮシステムにおけるＳＴＡ装置は、送信データをＦＥＣエンコードするＦＥＣエンコーダと、送信データを星状図マッピングするマッパーと、送信データにパイロットトーンを挿入するパイロット挿入ユニットと、送信データに対してＩＤＦＴ（Ｉｎｖｅｒｓｅ  Ｄｉｓｃｒｅｔｅ  Ｆｏｕｒｉｅｒ  Ｔｒａｎｓｆｏｒｍ）を行うＩＤＦＴユニットと、前記送信データをアップコンバートして、送信信号を送信するＲＦユニットとを含み、前記送信信号にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）スキームを適用する場合、前記送信信号は、ＯＦＤＭＡスキームのサブキャリヤ割り当ての単位になる少なくとも一つのトーンユニットを含むことができる。
【発明の効果】
【００２２】
本発明は、ＯＦＤＭＡスキーム使用時に対称性を満たしながらレガシー８０２．１１システムと互換性を最大化し、したがってレガシー８０２．１１システムの構成を最大限使用することができるトーンプランを提案する。また、提案するトーンプランに従って対称性（ｓｙｍｍｅｔｒｙ）及び等間隔性（ｅｑｕｉ-ｓｐａｃｅ）を最大化できるパイロットプランを提案する。
【００２３】
本発明にかかるトーンプラン及びそれに応じるパイロットの数及び位置を使用することによって、ＷＬＡＮシステムは、レガシーシステム構成を最大限再使用するか、または最小限の変更で再使用でき、同時にパイロットの使用に応じる時間／周波数オフセット推定性能もまた最適化させることができる。
【００２４】
本発明の他の効果について、以下の実施の形態においてさらに説明する。
【図面の簡単な説明】
【００２５】
【図１】本発明が適用されることができるＩＥＥＥ  ８０２．１１システムの一例を示す図である。
【図２】本発明が適用されることができるＩＥＥＥ  ８０２．１１システムの階層アーキテクチャー（ｌａｙｅｒ  ａｒｃｈｉｔｅｃｔｕｒｅ）の構造を例示する図である。
【図３】本発明が適用されることができる無線通信システムのｎｏｎ-ＨＴフォーマットＰＰＤＵ及びＨＴフォーマットＰＰＤＵを例示する。
【図４】本発明が適用されることができる無線通信システムのＶＨＴフォーマットＰＰＤＵフォーマットを例示する。
【図５】本発明が適用されることができる無線通信システムのＰＰＤＵのフォーマットを区分するための星状点（ｃｏｎｓｔｅｌｌａｔｉｏｎ）を例示する図である。
【図６】本発明が適用されることができるＩＥＥＥ  ８０２．１１システムのＭＡＣフレームフォーマットを例示する。
【図７】本発明が適用されることができる無線通信システムにおけるＭＡＣフレーム内のフレーム制御（Ｆｒａｍｅ  Ｃｏｎｔｒｏｌ）フィールドを例示する図である。
【図８】図６によるＭＡＣフレームにおいてＨＴ  ＣｏｎｔｒｏｌフィールドのＨＴフォーマットを例示する。
【図９】本発明が適用されることができる無線通信システムにおいてＨＴ  ＣｏｎｔｒｏｌフィールドのＶＨＴフォーマットを例示する。
【図１０】本発明が適用されることができる無線通信システムにおいて一般的なリンクセットアップ（ｌｉｎｋ  ｓｅｔｕｐ）手順を説明するための図である。
【図１１】本発明が適用されることができる無線通信システムにおいて任意のバックオフ周期とフレーム送信手順を説明するための図である。
【図１２】本発明が適用されることができる無線通信システムにおいて隠されたノード及び露出したノードについての説明のための図である。
【図１３】本発明が適用されることができる無線通信システムにおいてRTSとCTSを説明するための図である。
【図１４】本発明の実施の形態にかかる５２トーンサイズのＯＦＤＭＡトーンユニットを示す。
【図１５】本発明の実施の形態にかかる１０８トーンサイズのＯＦＤＭＡトーンユニットを示す。
【図１６】本発明の実施の形態にかかる２４２トーンサイズのＯＦＤＭＡトーンユニットを示す。
【図１７】本発明の他の実施の形態にかかる２４２トーンサイズのＯＦＤＭＡトーンユニットを示す。
【図１８】本発明の実施の形態にかかるパイロットトーン位置決定方法を示す。
【図１９】本発明の他の一実施の形態にかかるパイロットトーン位置決定方法を示す。
【図２０】本発明の他の一実施の形態にかかるパイロットトーン位置決定方法を示す。
【図２１】本発明の一実施の形態にかかるＳＴＡ装置を示す。
【図２２】本発明の一実施の形態にかかるＳＴＡ装置の一部をさらに詳細に示す。
【図２３】本発明の一実施の形態にかかるＳＴＡのデータ送信方法を示したフローチャートである。
【発明を実施するための形態】
【００２６】
以下、本発明にかかる好ましい実施の形態を添付された図面を参照して詳細に説明する。添付された図面と共に、以下に開示される詳細な説明は、本発明の例示的な実施の形態を説明するためのものであり、本発明が実施されうる唯一の実施の形態を表そうとするものではない。以下の詳細な説明は、本発明の完全な理解を提供するために、具体的な細部事項を含む。しかしながら、当業者は、本発明がこのような具体的細部事項なしで実施されうることが分かる。
【００２７】
いくつかの場合、本発明の概念が不明になるのを避けるために、公知の構造及び装置は省略されるか、または各構造及び装置の核心機能を中心としたブロック図の形式で示されることができる。
【００２８】
以下の説明において使用される特定用語は、本発明の理解に役立つために提供されたものであり、このような特定用語の使用は、本発明の技術的思想から逸脱しない範囲内で他の形態に変更されることができる。
【００２９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ-ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により具現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により具現化されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ-Ｆｉ）、ＩＥＥＥ  ８０２．１６（ＷｉＭＡＸ）、ＩＥＥＥ  ８０２-２０、Ｅ-ＵＴＲＡ（ｅｖｏｌｖｅｄ  ＵＴＲＡ）などのような無線技術により具現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ-ＵＴＲＡを使用するＥ-ＵＭＴＳ（ｅｖｏｌｖｅｄ  ＵＭＴＳ）の一部として、ダウンリンクでＯＦＤＭＡを採用しアップリンクでＳＣ-ＦＤＭＡを採用する。ＬＴＥ-Ａ（ａｄｖａｎｃｅｄ）は、３ＧＰＰ  ＬＴＥの進化である。
【００３０】
本発明の実施の形態は、無線接続システムであるＩＥＥＥ  ８０２、３ＧＰＰ及び３ＧＰＰ２のうち、少なくとも一つに開示された標準文書により裏付けられることができる。すなわち、本発明の実施の形態のうち、本発明の技術的思想を明らかに表すために説明しないステップまたは部分は、前記文書により裏付けられることができる。また、本文書において開示しているすべての用語は、前記標準文書により説明されることができる。
【００３１】
説明を明確にするために、ＩＥＥＥ  ８０２．１１システムを中心に述べるが、本発明の技術的特徴がこれに制限されるものではない。
【００３２】
システム一般
【００３３】
図１は、本発明が適用されることができるＩＥＥＥ  ８０２．１１システムの一例を示す図である。
【００３４】
ＩＥＥＥ  ８０２．１１構造は、複数の構成要素から構成されることができ、これらの相互作用により上位階層に対してトランスペアレントな（ｔｒａｎｓｐａｒｅｎｔ）ステーション（ＳＴＡ：Ｓｔａｔｉｏｎ）移動性を支援する無線通信システムが提供されることができる。基本サービスセット（ＢＳＳ：Ｂａｓｉｃ  Ｓｅｒｖｉｃｅ  Ｓｅｔ）は、ＩＥＥＥ  ８０２．１１システムでの基本的な構成ブロックに該当できる。
【００３５】
図１では、３個のＢＳＳ（ＢＳＳ１ないしＢＳＳ３）が存在し、それぞれのＢＳＳのメンバーとして２個のＳＴＡが含まれること（ＳＴＡ１及びＳＴＡ２は、ＢＳＳ１に含まれ、ＳＴＡ３及びＳＴＡ４は、ＢＳＳ２に含まれ、ＳＴＡ５及びＳＴＡ６は、ＢＳＳ３に含まれる）を例示的に示す。
【００３６】
図１においてＢＳＳを示す楕円は、該当ＢＳＳに含まれたＳＴＡが通信を維持するカバレッジ領域を示すものと理解されることができる。この領域を基本サービス領域（ＢＳＡ：Ｂａｓｉｃ  Ｓｅｒｖｉｃｅ  Ａｒｅａ）と称することができる。ＳＴＡがＢＳＡの外に移動するようになると、該当ＢＳＡ内の他のＳＴＡと直接的に通信できなくなる。
【００３７】
ＩＥＥＥ  ８０２．１１システムにおいて最も基本的なタイプのＢＳＳは、独立的なＢＳＳ（ＩＢＳＳ：Ｉｎｄｅｐｅｎｄｅｎｔ  ＢＳＳ）である。例えば、ＩＢＳＳは、２個のＳＴＡだけから構成された最小の形態を有することができる。また、最も単純な形態で他の構成要素が省略されている図１のＢＳＳ３がＩＢＳＳの代表的な例示に該当できる。このような構成は、ＳＴＡが直接通信できる場合に可能である。また、このような形態のＬＡＮは、予め計画されて構成されることではなく、ＬＡＮが必要な場合に構成されることができ、これをアドホック（ａｄ-ｈｏｃ）ネットワークと称することもできる。
【００３８】
ＳＴＡのオンまたはオフ、ＳＴＡがＢＳＳ領域に入る、行く等により、ＢＳＳでのＳＴＡのメンバーシップが動的に変更されることができる。ＢＳＳのメンバーになるためには、ＳＴＡは、同期化過程を利用してＢＳＳにジョインできる。ＢＳＳ基盤構造のすべてのサービスにアクセスするためには、ＳＴＡは、ＢＳＳに連係（ａｓｓｏｃｉａｔｅｄ）されなければならない。このような連係（ａｓｓｏｃｉａｔｉｏｎ）は、動的に設定されることができ、分配システムサービス（ＤＳＳ：Ｄｉｓｔｒｉｂｕｔｉｏｎ  Ｓｙｓｔｅｍ  Ｓｅｒｖｉｃｅ）の利用を含むことができる。
【００３９】
８０２．１１システムにおいて直接的なＳＴＡ-対-ＳＴＡの距離は、物理階層（ＰＨＹ：ｐｈｙｓｉｃａｌ）性能によって制限されることができる。ある場合には、このような距離の限界が充分でありうるが、場合によっては、より遠くの距離のＳＴＡ間の通信が必要でありうるときもある。拡張されたカバレッジを支援するために、分配システム（ＤＳ：Ｄｉｓｔｒｉｂｕｔｉｏｎ  Ｓｙｓｔｅｍ）が構成されることができる。
【００４０】
ＤＳは、ＢＳＳが相互接続する構造を意味する。具体的に、図１のように、ＢＳＳが独立的に存在する代わりに、複数のＢＳＳから構成されたネットワークの拡張された形態の構成要素としてＢＳＳが存在することもできる。
【００４１】
ＤＳは、論理的な概念であり、分配システム媒体（ＤＳＭ：Ｄｉｓｔｒｉｂｕｔｉｏｎ  Ｓｙｓｔｅｍ  Ｍｅｄｉｕｍ）の特性によって特定されることができる。これと関連して、ＩＥＥＥ  ８０２．１１標準では、無線媒体（ＷＭ：Ｗｉｒｅｌｅｓｓ  Ｍｅｄｉｕｍ）と分配システム媒体（ＤＳＭ：Ｄｉｓｔｒｉｂｕｔｉｏｎ  Ｓｙｓｔｅｍ  Ｍｅｄｉｕｍ）を論理的に区分している。各々の論理的媒体は、相異なる目的のために使用され、相異なる構成要素によって使用される。ＩＥＥＥ  ８０２．１１標準の定義では、このような媒体を同じことに制限することもせず相異なることに制限することもしない。このように複数の媒体が論理的に相異なるという点で、ＩＥＥＥ  ８０２．１１システムの構造（ＤＳ構造または他のネットワーク構造）の柔軟性が説明されることができる。すなわち、ＩＥＥＥ  ８０２．１１システム構造は、多様に具現化されることができ、各々の具現例の物理的な特性によって独立的に該当システム構造が特定されることができる。
【００４２】
ＤＳは、複数のＢＳＳの途切れない（ｓｅａｍｌｅｓｓ）統合を提供し、目的地へのアドレスを扱うのに必要な論理的サービスを提供することによって、移動装置を支援できる。
【００４３】
ＡＰは、関連したＳＴＡに対してＷＭを介してＤＳへのアクセスを可能にし、ＳＴＡ機能性を有する個体を意味する。ＡＰを介してＢＳＳ及びＤＳ間のデータ移動が行われることができる。例えば、図１に示すＳＴＡ２及びＳＴＡ３は、ＳＴＡの機能性を有し、かつ関連したＳＴＡ（ＳＴＡ１及びＳＴＡ４）がＤＳにアクセスするようにする機能を提供する。また、すべてのＡＰは、基本的にＳＴＡに該当するので、すべてのＡＰは、アドレス可能な個体である。ＷＭ上での通信のために、ＡＰによって使用されるアドレスとＤＳＭ上での通信のために、ＡＰによって使用されるアドレスは、必ず同一である必要はない。
【００４４】
ＡＰに関連したＳＴＡのうちの一つからそのＡＰのＳＴＡアドレスに送信されるデータは、常に非制御ポート（ｕｎｃｏｎｔｒｏｌｌｅｄ  ｐｏｒｔ）で受信され、ＩＥＥＥ  ８０２．１Ｘポートアクセス個体によって処理されることができる。また、制御ポート（ｃｏｎｔｒｏｌｌｅｄ  ｐｏｒｔ）が認証されると、送信データ（またはフレーム）は、ＤＳに伝達されることができる。
【００４５】
任意の（ａｒｂｉｔｒａｒｙ）大きさ及び複雑度を有する無線ネットワークがＤＳ及びＢＳＳから構成されることができる。ＩＥＥＥ  ８０２．１１システムでは、このような方式のネットワークを拡張されたサービスセット（ＥＳＳ：Ｅｘｔｅｎｄｅｄ  Ｓｅｒｖｉｃｅ  Ｓｅｔ）ネットワークと称する。ＥＳＳは、一つのＤＳに接続したＢＳＳの集合に該当できる。しかしながら、ＥＳＳは、ＤＳを含まない。ＥＳＳネットワークは、論理リンク制御（ＬＬＣ：Ｌｏｇｉｃａｌ  Ｌｉｎｋ  Ｃｏｎｔｒｏｌ）階層でＩＢＳＳネットワークに見える点が特徴である。ＥＳＳに含まれるＳＴＡは、互いに通信でき、移動ＳＴＡは、ＬＬＣにトランスペアレント（ｔｒａｎｓｐａｒｅｎｔ）に一つのＢＳＳから他のＢＳＳに（同じＥＳＳ内で）移動できる。
【００４６】
ＩＥＥＥ  ８０２．１１システムでは、図１でのＢＳＳの相対的な物理的位置に対してなんにも仮定しなく、次のような形態が全部可能である。
【００４７】
具体的に、ＢＳＳは、部分的に重なることができ、これは、連続的なカバレッジを提供するために一般に利用される形態である。また、ＢＳＳは、物理的に接続されていなくても良く、論理的には、ＢＳＳ間の距離に制限はない。また、ＢＳＳは、物理的に同じ位置に位置でき、これは、リダンダンシー（ｒｅｄｕｎｄａｎｃｙ）を提供するために利用されることができる。また、一つ（または一つ以上の）ＩＢＳＳまたはＥＳＳネットワークが一つまたはそれ以上のＥＳＳネットワークとして同じ空間に物理的に存在できる。これは、ＥＳＳネットワークが存在する位置にａｄ-ｈｏｃネットワークが動作する場合、相異なる機関（ｏｒｇａｎｉｚａｔｉｏｎｓ）によって物理的に重なるＩＥＥＥ  ８０２．１１ネットワークが構成される場合、または同じ位置で２つ以上の相異なったアクセス及びセキュリティー政策が必要な場合などでのＥＳＳネットワーク形態に該当できる。
【００４８】
ＷＬＡＮシステムにおけるＳＴＡは、ＩＥＥＥ  ８０２．１１の媒体接続制御（ＭＡＣ：Ｍｅｄｉｕｍ  Ａｃｃｅｓｓ  Ｃｏｎｔｒｏｌ）／ＰＨＹ規定に従って動作する装置である。ＳＴＡの機能がＡＰと個別的に区分されない限り、ＳＴＡは、ＡＰ  ＳＴＡと非-ＡＰ  ＳＴＡ（ｎｏｎ-ＡＰ  ＳＴＡ）を含むことができる。ただし、ＳＴＡとＡＰとの間に通信が行われるとするとき、ＳＴＡは、ｎｏｎ-ＡＰ  ＳＴＡと理解されることができる。図１の例示において、ＳＴＡ１、ＳＴＡ４、ＳＴＡ５及びＳＴＡ６は、ｎｏｎ-ＡＰ  ＳＴＡに該当し、ＳＴＡ２及びＳＴＡ３は、ＡＰ  ＳＴＡに該当する。
【００４９】
Ｎｏｎ-ＡＰ  ＳＴＡは、ラップトップパソコン、移動電話機のように、一般にユーザが直接扱う装置に該当する。以下の説明において、ｎｏｎ-ＡＰ  ＳＴＡは、無線装置（ｗｉｒｅｌｅｓｓ  ｄｅｖｉｃｅ）、端末（ｔｅｒｍｉｎａｌ）、ユーザ装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、移動端末（Ｍｏｂｉｌｅ  Ｔｅｒｍｉｎａｌ）、無線端末（ｗｉｒｅｌｅｓｓ  ｔｅｒｍｉｎａｌ）、無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）、ネットワークインタフェース装置（ｎｅｔｗｏｒｋ  ｉｎｔｅｒｆａｃｅ  ｄｅｖｉｃｅ）、ＭＴＣ（Ｍａｃｈｉｎｅ-Ｔｙｐｅ  Ｃｏｍｍｕｎｉｃａｔｉｏｎ）装置、Ｍ２Ｍ（Ｍａｃｈｉｎｅ-ｔｏ-Ｍａｃｈｉｎｅ）装置などと呼ぶことができる。
【００５０】
また、ＡＰは、他の無線通信分野での基地局（ＢＳ：Ｂａｓｅ  Ｓｔａｔｉｏｎ）、ノード-Ｂ（Ｎｏｄｅ-Ｂ）、発展したノード-Ｂ（ｅＮＢ：ｅｖｏｌｖｅｄ  Ｎｏｄｅ-Ｂ）、基底送受信システム（ＢＴＳ：Ｂａｓｅ  Ｔｒａｎｓｃｅｉｖｅｒ  Ｓｙｓｔｅｍ）、フェムト基地局（Ｆｅｍｔｏ  ＢＳ）などに対応する概念である。
【００５１】
以下、本明細書においてダウンリンク（ＤＬ：ｄｏｗｎｌｉｎｋ）は、ＡＰからｎｏｎ-ＡＰ  ＳＴＡへの通信を意味し、アップリンク（ＵＬ：ｕｐｌｉｎｋ）は、ｎｏｎ-ＡＰ  ＳＴＡからＡＰへの通信を意味する。ダウンリンクにおける送信機は、ＡＰの一部で、受信機は、ｎｏｎ-ＡＰ  ＳＴＡの一部でありうる。アップリンクにおける送信機は、ｎｏｎ-ＡＰ  ＳＴＡの一部で、受信機は、ＡＰの一部でありうる。
【００５２】
図２は、本発明が適用されることができるＩＥＥＥ  ８０２．１１システムの階層アーキテクチャー（ｌａｙｅｒ  ａｒｃｈｉｔｅｃｔｕｒｅ）の構造を例示する図である。
【００５３】
図２を参照すると、ＩＥＥＥ  ８０２．１１システムの階層アーキテクチャーは、ＭＡＣ副階層（ＭＡＣ  ｓｕｂｌａｙｅｒ）とＰＨＹ副階層（ＰＨＹ  ｓｕｂｌａｙｅｒ）を含むことができる。
【００５４】
ＰＨＹ  ｓｕｂｌａｙｅｒは、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）個体（ｅｎｔｉｔｙ）とＰＭＤ（Ｐｈｙｓｉｃａｌ  Ｍｅｄｉｕｍ  Ｄｅｐｅｎｄｅｎｔ）個体とに区分されることもできる。この場合、ＰＬＣＰ個体は、ＭＡＣ  ｓｕｂｌａｙｅｒとデータフレームとを接続する機能を果たし、ＰＭＤ個体は、２個またはそれ以上のＳＴＡとデータとを無線で送受信する機能を果たす。
【００５５】
ＭＡＣ  ｓｕｂｌａｙｅｒとＰＨＹ  ｓｕｂｌａｙｅｒとも、管理個体（Ｍａｎａｇｅｍｅｎｔ  Ｅｎｔｉｔｙ）を含むことができ、それぞれＭＡＣサブ階層管理個体（ＭＬＭＥ：ＭＡＣ  ｓｕｂｌａｙｅｒ  Ｍａｎａｇｅｍｅｎｔ  Ｅｎｔｉｔｙ）とＰＨＹサブ階層管理個体（ＰＬＭＥ：Ｐｈｙｓｉｃａｌ  Ｓｕｂｌａｙｅｒ  Ｍａｎａｇｅｍｅｎｔ  Ｅｎｔｉｔｙ）と呼ぶことができる。これらの管理個体は、階層管理関数の動作を介して階層管理サービスインタフェースを提供する。ＭＬＭＥは、ＰＬＭＥに接続されてＭＡＣ  ｓｕｂｌａｙｅｒの管理動作（ｍａｎａｇｅｍｅｎｔ  ｏｐｅｒａｔｉｏｎ）を行うことができ、同様に、ＰＬＭＥもＭＬＭＥに接続されてＰＨＹ  ｓｕｂｌａｙｅｒの管理動作（ｍａｎａｇｅｍｅｎｔ  ｏｐｅｒａｔｉｏｎ）を行うことができる。
【００５６】
正確なＭＡＣ動作を提供するために、ＳＭＥ（Ｓｔａｔｉｏｎ  Ｍａｎａｇｅｍｅｎｔ  Ｅｎｔｉｔｙ）が各ＳＴＡ内に存在できる。ＳＭＥは、各階層と独立的な管理個体であって、ＭＬＭＥとＰＬＭＥから階層基盤状態情報を収集するか、または各階層の特定パラメータの値を設定する。ＳＭＥは、一般システム管理個体の代わりに、このような機能を行うことができ、標準管理プロトコルを具現できる。
【００５７】
ＭＬＭＥ、ＰＬＭＥ及びＳＭＥは、プリミティブ（ｐｒｉｍｉｔｉｖｅ）を基盤とする多様な方法で相互作用（ｉｎｔｅｒａｃｔ）できる。具体的に、ＸＸ-ＧＥＴ．ｒｅｑｕｅｓｔプリミティブは、管理情報ベース属性（ＭＩＢ  ａｔｔｒｉｂｕｔｅ：Ｍａｎａｇｅｍｅｎｔ  Ｉｎｆｏｒｍａｔｉｏｎ  Ｂａｓｅ  ａｔｔｒｉｂｕｔｅ）の値を要請するために使用され、ＸＸ-ＧＥＴ．ｃｏｎｆｉｒｍプリミティブは、状態が「ＳＵＣＣＥＳＳ」であると、該当ＭＩＢ属性値をリターン（ｒｅｔｕｒｎ）し、その他の場合には、状態フィールドにエラー表示をしてリターンする。ＸＸ-ＳＥＴ．ｒｅｑｕｅｓｔプリミティブは、指定されたＭＩＢ属性を与えた値に設定するように要請するために使用される。ＭＩＢ属性が特定動作を意味している場合、この要請は、その特定動作の実行を要請する。そして、ＸＸ-ＳＥＴ．ｃｏｎｆｉｒｍプリミティブは、状態が「ＳＵＣＣＥＳＳ」であると、これは指定されたＭＩＢ属性が要請された値に設定されたことを意味する。その他の場合には、状態フィールドは、エラー状況を表す。このＭＩＢ属性が特定動作を意味する場合、このプリミティブは、該当動作が行われたことを確認してくれることができる。
【００５８】
各ｓｕｂｌａｙｅｒでの動作を簡略に説明すると、以下のとおりである。
【００５９】
ＭＡＣ  ｓｕｂｌａｙｅｒは、上位階層（例えば、ＬＬＣ階層）から伝達されたＭＡＣサービスデータユニット（ＭＳＤＵ：ＭＡＣ  Ｓｅｒｖｉｃｅ  Ｄａｔａ  Ｕｎｉｔ）またはＭＳＤＵのフラグメント（ｆｒａｇｍｅｎｔ）にＭＡＣヘッダ（ｈｅａｄｅｒ）とフレームチェックシーケンス（ＦＣＳ：Ｆｒａｍｅ  Ｃｈｅｃｋ  Ｓｅｑｕｅｎｃｅ）を付着して、一つ以上のＭＡＣプロトコルデータユニット（ＭＰＤＵ：ＭＡＣ  Ｐｒｏｔｏｃｏｌ  Ｄａｔａ  Ｕｎｉｔ）を生成する。生成されたＭＰＤＵは、ＰＨＹ  ｓｕｂｌａｙｅｒに伝達される。
【００６０】
Ａ-ＭＳＤＵ（ａｇｇｒｅｇａｔｅｄ  ＭＳＤＵ）技法（ｓｃｈｅｍｅ）が用いられる場合、複数のＭＳＤＵは、単一のＡ-ＭＳＤＵ（ａｇｇｒｅｇａｔｅｄ  ＭＳＤＵ）に併合されることができる。ＭＳＤＵ併合動作は、ＭＡＣ上位階層で行われることができる。Ａ-ＭＳＤＵは、単一のＭＰＤＵ（フラグメント化（ｆｒａｇｍｅｎｔ）されない場合）でＰＨＹ  ｓｕｂｌａｙｅｒに伝達される。
【００６１】
ＰＨＹ  ｓｕｂｌａｙｅｒは、ＭＡＣ  ｓｕｂｌａｙｅｒから伝達された物理サービスデータユニット（ＰＳＤＵ：Ｐｈｙｓｉｃａｌ  Ｓｅｒｖｉｃｅ  Ｄａｔａ  Ｕｎｉｔ）に物理階層送受信機により必要な情報を含む付加フィールドを付け加えて、物理プロトコルデータユニット（ＰＰＤＵ：Ｐｈｙｓｉｃａｌ  Ｐｒｏｔｏｃｏｌ  Ｄａｔａ  Ｕｎｉｔ）を生成する。ＰＰＤＵは、無線媒体を介して送信される。
【００６２】
ＰＳＤＵは、ＰＨＹ  ｓｕｂｌａｙｅｒがＭＡＣ  ｓｕｂｌａｙｅｒから受信したものであり、ＭＰＤＵは、ＭＡＣ  ｓｕｂｌａｙｅｒがＰＨＹ  ｓｕｂｌａｙｅｒに送信したものであるから、ＰＳＤＵは、実質的にＭＰＤＵと同一である。
【００６３】
Ａ-ＭＰＤＵ（ａｇｇｒｅｇａｔｅｄ  ＭＰＤＵ）技法（ｓｃｈｅｍｅ）が用いられる場合、複数のＭＰＤＵ（このとき、各ＭＰＤＵは、Ａ-ＭＳＤＵを運ぶことができる。）は、単一のＡ-ＭＰＤＵに併合されることができる。ＭＰＤＵ併合動作は、ＭＡＣ下位階層で行われることができる。Ａ-ＭＰＤＵは、多様なタイプのＭＰＤＵ（例えば、ＱｏＳデータ、ＡＣＫ（Ａｃｋｎｏｗｌｅｄｇｅ）、ブロックＡＣＫ（Ｂｌｏｃｋ  Ａｃｋ）等）が併合されることができる。ＰＨＹ  ｓｕｂｌａｙｅｒは、ＭＡＣ  ｓｕｂｌａｙｅｒから単一のＰＳＤＵとしてＡ-ＭＰＤＵを受信する。すなわち、ＰＳＤＵは、複数のＭＰＤＵから構成される。したがって、Ａ-ＭＰＤＵは、単一のＰＰＤＵ内で無線媒体を介して送信される。
【００６４】
ＰＰＤＵ（Ｐｈｙｓｉｃａｌ  Ｐｒｏｔｏｃｏｌ  Ｄａｔａ  Ｕｎｉｔ）フォーマット
【００６５】
ＰＰＤＵ（Ｐｈｙｓｉｃａｌ  Ｐｒｏｔｏｃｏｌ  Ｄａｔａ  Ｕｎｉｔ）は、物理階層から発生されるデータブロックを意味する。以下、本発明が適用されうるＩＥＥＥ  ８０２．１１  ＷＬＡＮシステムに基づいてＰＰＤＵフォーマットを説明する。
【００６６】
図３は、本発明が適用されうる無線通信システムのｎｏｎ-ＨＴフォーマットＰＰＤＵ及びＨＴフォーマットＰＰＤＵを例示する。
【００６７】
図３の（ａ）は、ＩＥＥＥ  ８０２．１１ａ／ｇシステムを支援するためのｎｏｎ-ＨＴフォーマットＰＰＤＵを例示する。ｎｏｎ-ＨＴ  ＰＰＤＵは、レガシー（ｌｅｇａｃｙ）ＰＰＤＵとも呼ばれることができる。
【００６８】
図３の（ａ）を参照すると、ｎｏｎ-ＨＴフォーマットＰＰＤＵは、Ｌ-ＳＴＦ（Ｌｅｇａｃｙ（またはＮｏｎ-ＨＴ）Ｓｈｏｒｔ  Ｔｒａｉｎｉｎｇ  ｆｉｅｌｄ）、Ｌ-ＬＴＦ（Ｌｅｇａｃｙ（またはＮｏｎ-ＨＴ）Ｌｏｎｇ  Ｔｒａｉｎｉｎｇ  ｆｉｅｌｄ）及びＬ-ＳＩＧ（Ｌｅｇａｃｙ（またはＮｏｎ-ＨＴ）ＳＩＧＮＡＬ）フィールドから構成されるレガシーフォーマットプリアンブルとデータフィールドとを含む。
【００６９】
Ｌ-ＳＴＦは、短いトレーニングＯＦＤＭ（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）シンボルを含むことができる。Ｌ-ＳＴＦは、フレームタイミング獲得（ｆｒａｍｅ  ｔｉｍｉｎｇ  ａｃｑｕｉｓｉｔｉｏｎ）、自動利得制御（ＡＧＣ：Ａｕｔｏｍａｔｉｃ  Ｇａｉｎ  Ｃｏｎｔｒｏｌ）、ダイバーシチ検出（ｄｉｖｅｒｓｉｔｙ  ｄｅｔｅｃｔｉｏｎ）、概略的な周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使用されることができる。
【００７０】
Ｌ-ＬＴＦは、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ-ＬＴＦは、精密な周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル推定（ｃｈａｎｎｅｌ  ｅｓｔｉｍａｔｉｏｎ）のために使用されることができる。
【００７１】
Ｌ-ＳＩＧフィールドは、データフィールドの復調及びデコードのための制御情報を送信するために使用されることができる。Ｌ-ＳＩＧフィールドは、データ率（ｄａｔａ  ｒａｔｅ）、データ長（ｄａｔａ  ｌｅｎｇｔｈ）に対する情報を含むことができる。
【００７２】
図３の（ｂ）は、ＩＥＥＥ  ８０２．１１ｎシステム及びＩＥＥＥ  ８０２．１１ａ／ｇシステムを全部支援するためのＨＴ混合フォーマットＰＰＤＵ（ＨＴ-ｍｉｘｅｄ  ｆｏｒｍａｔ  ＰＰＤＵ）を例示する。
【００７３】
図３の（ｂ）を参照すると、ＨＴ混合フォーマットＰＰＤＵは、Ｌ-ＳＴＦ、Ｌ-ＬＴＦ及びＬ-ＳＩＧフィールドから構成されるレガシーフォーマットプリアンブルとＨＴ-ＳＩＧ（ＨＴ-Ｓｉｇｎａｌ）フィールド、ＨＴ-ＳＴＦ（ＨＴ  Ｓｈｏｒｔ  Ｔｒａｉｎｉｎｇ  ｆｉｅｌｄ）、ＨＴ-ＬＴＦ（ＨＴ  Ｌｏｎｇ  Ｔｒａｉｎｉｎｇ  ｆｉｅｌｄ）から構成されるＨＴフォーマットプリアンブル及びデータフィールドを含んで構成される。
【００７４】
Ｌ-ＳＴＦ、Ｌ-ＬＴＦ及びＬ-ＳＩＧフィールドは、下位互換性（ｂａｃｋｗａｒｄ  ｃｏｍｐａｔｉｂｉｌｉｔｙ）のためのレガシーフィールドを意味するので、Ｌ-ＳＴＦからＬ-ＳＩＧフィールドまでｎｏｎ-ＨＴフォーマットと同一である。Ｌ-ＳＴＡは、ＨＴ混合ＰＰＤＵを受信してもＬ-ＬＴＦ、Ｌ-ＬＴＦ及びＬ-ＳＩＧフィールドを介してデータフィールドを解析できる。ただし、Ｌ-ＬＴＦは、ＨＴ-ＳＴＡがＨＴ混合ＰＰＤＵを受信しＬ-ＳＩＧフィールド及びＨＴ-ＳＩＧフィールドを復調するために行うチャネル推定のための情報をさらに含むことができる。
【００７５】
ＨＴ-ＳＴＡは、レガシーフィールドの後にくるＨＴ-ＳＩＧフィールド利用して、ＨＴ-混合フォーマットＰＰＤＵであることが分かり、これに基づいてデータフィールドをデコードできる。
【００７６】
ＨＴ-ＬＴＦフィールドは、データフィールドの復調のためのチャネル推定に使用されることができる。ＩＥＥＥ  ８０２．１１ｎは、ＳＵ-ＭＩＭＯ（Ｓｉｎｇｌｅ-Ｕｓｅｒ  Ｍｕｌｔｉ-Ｉｎｐｕｔ  ａｎｄ  Ｍｕｌｔｉ-Ｏｕｔｐｕｔ）を支援するので、複数の空間ストリームに送信されるデータフィールドの各々に対して、チャネル推定のためにＨＴ-ＬＴＦフィールドは、複数から構成されることができる。
【００７７】
ＨＴ-ＬＴＦフィールドは、空間ストリームに対するチャネル推定のために使用されるデータＨＴ-ＬＴＦ（ｄａｔａ  ＨＴ-ＬＴＦ）とフルチャネルサウンディング（ｆｕｌｌ  ｃｈａｎｎｅｌ  ｓｏｕｎｄｉｎｇ）のために追加的に使用される拡張ＨＴ-ＬＴＦ（ｅｘｔｅｎｓｉｏｎ  ＨＴ-ＬＴＦ）から構成されることができる。したがって、複数のＨＴ-ＬＴＦは、送信される空間ストリームの数より同じであるか、または多くありうる。
【００７８】
ＨＴ-混合フォーマットＰＰＤＵは、Ｌ-ＳＴＡも受信してデータを獲得できるようにするために、Ｌ-ＳＴＦ、Ｌ-ＬＴＦ及びＬ-ＳＩＧフィールドが最も速く送信される。以後、ＨＴ-ＳＴＡのために送信されるデータの復調及びデコードのためにＨＴ-ＳＩＧフィールドが送信される。
【００７９】
ＨＴ-ＳＩＧフィールドまでは、ビーム形成を行わないで送信して、Ｌ-ＳＴＡ及びＨＴ-ＳＴＡが該当ＰＰＤＵを受信してデータを獲得できるようにし、以後に送信されるＨＴ-ＳＴＦ、ＨＴ-ＬＴＦ及びデータフィールドは、プリコーディングを介した無線信号送信が行われる。ここで、プリコーディングをして受信するＳＴＡでプリコーディングにより電力が可変される部分を勘案できるように、ＨＴ-ＳＴＦフィールドを送信し、その以後に複数のＨＴ-ＬＴＦ及びデータフィールドを送信する。
【００８０】
図３の（ｃ）は、ＩＥＥＥ  ８０２．１１ｎシステムのみを支援するためのＨＴ-ＧＦフォーマットＰＰＤＵ（ＨＴ-ｇｒｅｅｎｆｉｅｌｄ  ｆｏｒｍａｔ  ＰＰＤＵ）を例示する。
【００８１】
図３の（ｃ）を参照すると、ＨＴ-ＧＦフォーマットＰＰＤＵは、ＨＴ-ＧＦ-ＳＴＦ、ＨＴ-ＬＴＦ１、ＨＴ-ＳＩＧフィールド、複数のＨＴ-ＬＴＦ２及びデータフィールドを含む。
【００８２】
ＨＴ-ＧＦ-ＳＴＦは、フレームタイミング獲得及びＡＧＣのために使用される。
【００８３】
ＨＴ-ＬＴＦ１は、チャネル推定のために使用される。
【００８４】
ＨＴ-ＳＩＧフィールドは、データフィールドの復調及びデコードのために使用される。
【００８５】
ＨＴ-ＬＴＦ２は、データフィールドの復調のためのチャネル推定に使用される。同様に、ＨＴ-ＳＴＡは、ＳＵ-ＭＩＭＯを使用するので、複数の空間ストリームに送信されるデータフィールドの各々に対してチャネル推定を要するので、ＨＴ-ＬＴＦ２は、複数から構成されることができる。
【００８６】
複数のＨＴ-ＬＴＦ２は、ＨＴ混合ＰＰＤＵのＨＴ-ＬＴＦフィールドと同様に、複数のＤａｔａ  ＨＴ-ＬＴＦと複数の拡張ＨＴ-ＬＴＦから構成されることができる。
【００８７】
図３の（ａ）ないし（ｃ）におけるデータフィールドは、ペイロード（ｐａｙｌｏａｄ）として、サービスフィールド（ＳＥＲＶＩＣＥ  ｆｉｅｌｄ）、スクランブルされたＰＳＤＵ（ｓｃｒａｍｂｌｅｄ  ＰＳＤＵ）フィールド、テールビット（Ｔａｉｌ  ｂｉｔｓ）、パディングビット（ｐａｄｄｉｎｇ  ｂｉｔｓ）を含むことができる。データフィールドのすべてのビットは、スクランブルされる。
【００８８】
図３の（ｄ）は、データフィールドに含まれるサービスフィールドを示す。サービスフィールドは、１６ビットを有する。各ビットは、０番から１５番まで付与され、０番ビットから順次に送信される。０番から６番ビットは、０に設定され、受信端内のデスクランブラー（ｄｅｓｃｒａｍｂｌｅｒ）を同期化するために使用される。
【００８９】
ＩＥＥＥ  ８０２．１１ａｃ  ＷＬＡＮシステムは、無線チャネルを效率的に利用するために、複数のＳＴＡが同時にチャネルにアクセスするダウンリンクＭＵ-ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）方式の送信を支援する。ＭＵ-ＭＩＭＯ送信方式によれば、ＡＰがＭＩＭＯペアリング（ｐａｉｒｉｎｇ）された一つ以上のＳＴＡに同時にパケットを送信できる。
【００９０】
ＤＬ  ＭＵ送信（ｄｏｗｎｌｉｎｋ  ｍｕｌｔｉ-ｕｓｅｒ  ｔｒａｎｓｍｉｓｓｉｏｎ）は、一つ以上のアンテナを介してＡＰが同じ時間資源を介してＰＰＤＵを複数のｎｏｎ-ＡＰ  ＳＴＡに送信する技術を意味する。
【００９１】
以下、ＭＵ  ＰＰＤＵは、ＭＵ-ＭＩＭＯ技術またはＯＦＤＭＡ技術を利用して一つ以上のＳＴＡのための一つ以上のＰＳＤＵを伝達するＰＰＤＵを意味する。そして、ＳＵ  ＰＰＤＵは、一つのＰＳＤＵのみを伝達できるか、またはＰＳＤＵが存在しないフォーマットを有したＰＰＤＵを意味する。
【００９２】
ＭＵ-ＭＩＭＯ送信のために、８０２．１１ｎ制御情報の大きさに比べてＳＴＡに送信される制御情報の大きさが相対的に大きくありうる。ＭＵ-ＭＩＭＯ支援のために追加的に要求される制御情報の一例として、各ＳＴＡにより受信される空間的ストリーム（ｓｐａｔｉａｌ  ｓｔｒｅａｍ）の数を指示する情報、各ＳＴＡに送信されるデータの変調及びコーディング関連情報などがこれに該当することができる。
【００９３】
したがって、複数のＳＴＡに同時にデータサービスを提供するためにＭＵ-ＭＩＭＯ送信が行われるとき、送信される制御情報の大きさは、受信するＳＴＡの数に応じて増加されることができる。
【００９４】
このように増加される制御情報の大きさを效率的に送信するために、ＭＵ-ＭＩＭＯ送信のために要求される複数の制御情報は、すべてのＳＴＡに共通的に要求される共通制御情報（ｃｏｍｍｏｎ  ｃｏｎｔｒｏｌ  ｉｎｆｏｒｍａｔｉｏｎ）と特定ＳＴＡに個別的に要求される専用制御情報（ｄｅｄｉｃａｔｅｄ  ｃｏｎｔｒｏｌ  ｉｎｆｏｒｍａｔｉｏｎ）の２とおりのタイプの情報に区分して送信されることができる。
【００９５】
図４は、本発明が適用されることができる無線通信システムのＶＨＴフォーマットＰＰＤＵフォーマットを例示する。
【００９６】
図４は、ＩＥＥＥ  ８０２．１１ａｃシステムを支援するためのＶＨＴフォーマットＰＰＤＵ（ＶＨＴ  ｆｏｒｍａｔ  ＰＰＤＵ）を例示する。
【００９７】
図４を参照すると、ＶＨＴフォーマットＰＰＤＵは、Ｌ-ＳＴＦ、Ｌ-ＬＴＦ及びＬ-ＳＩＧフィールドを含むレガシーフォーマットプリアンブルとＶＨＴ-ＳＩＧ-Ａ（ＶＨＴ-Ｓｉｇｎａｌ-Ａ）フィールド、ＶＨＴ-ＳＴＦ（ＶＨＴ  Ｓｈｏｒｔ  Ｔｒａｉｎｉｎｇ  Ｆｉｅｌｄ）、ＶＨＴ-ＬＴＦ（ＶＨＴ  Ｌｏｎｇ  Ｔｒａｉｎｉｎｇ  Ｆｉｅｌｄ）、ＶＨＴ-ＳＩＧ-Ｂ（ＶＨＴ-Ｓｉｇｎａｌ-Ｂ）フィールドから構成されるＶＨＴフォーマットプリアンブル及びデータフィールドを含む。
【００９８】
Ｌ-ＳＴＦ、Ｌ-ＬＴＦ及びＬ-ＳＩＧは、下位互換性（ｂａｃｋｗａｒｄ  ｃｏｍｐａｔｉｂｉｌｉｔｙ）のためのレガシーフィールドを表すので、Ｌ-ＳＴＦからＬ-ＳＩＧフィールドまでｎｏｎ-ＨＴフォーマットと同一である。ただし、Ｌ-ＬＴＦは、Ｌ-ＳＩＧフィールド及びＶＨＴ-ＳＩＧ-Ａフィールドを復調するために行うチャネル推定のための情報をさらに含むことができる。
【００９９】
Ｌ-ＳＴＦ、Ｌ-ＬＴＦ、Ｌ-ＳＩＧフィールド及びＶＨＴ-ＳＩＧ-Ａフィールドは、２０ＭＨｚチャネル単位に繰り返されて送信されることができる。例えば、ＰＰＤＵが４個の２０ＭＨｚチャネル（すなわち、８０ＭＨｚ帯域幅）を介して送信されるとき、Ｌ-ＳＴＦ、Ｌ-ＬＴＦ、Ｌ-ＳＩＧフィールド及びＶＨＴ-ＳＩＧ-Ａフィールドは、毎２０ＭＨｚチャネルで繰り返されて送信されることができる。
【０１００】
ＶＨＴ-ＳＴＡは、レガシーフィールドの後にくるＶＨＴ-ＳＩＧ-Ａフィールドを使用して、ＶＨＴフォーマットＰＰＤＵであることが分かり、これに基づいてデータフィールドをデコードできる。
【０１０１】
ＶＨＴフォーマットＰＰＤＵは、Ｌ-ＳＴＡも受信してデータを獲得できるようにするために、Ｌ-ＳＴＦ、Ｌ-ＬＴＦ及びＬ-ＳＩＧフィールドが最も速く送信される。以後、ＶＨＴ-ＳＴＡのために送信されるデータの復調及びデコードのために、ＶＨＴ-ＳＩＧ-Ａフィールドが送信される。
【０１０２】
ＶＨＴ-ＳＩＧ-Ａフィールドは、ＡＰとＭＩＭＯペアリングされた（ｐａｉｒｅｄ）ＶＨＴ ＳＴＡに共通する制御情報送信のためのフィールドであって、これは、受信されたＶＨＴフォーマットＰＰＤＵを解析するための制御情報を含んでいる。
【０１０３】
ＶＨＴ-ＳＩＧ-Ａフィールドは、ＶＨＴ-ＳＩＧ-Ａ１フィールドとＶＨＴ-ＳＩＧ-Ａ２フィールドを含むことができる。
【０１０４】
ＶＨＴ-ＳＩＧ-Ａ１フィールドは、使用するチャネル帯域幅（ＢＷ：ｂａｎｄｗｉｄｔｈ）情報、時空間ブロックコーディング（ＳＴＢＣ：Ｓｐａｃｅ  Ｔｉｍｅ  Ｂｌｏｃｋ  Ｃｏｄｉｎｇ）の適用有無、ＭＵ-ＭＩＭＯでグループ化されたＳＴＡのグループを指示するためのグループ識別情報（Ｇｒｏｕｐ  ＩＤ：Ｇｒｏｕｐ  Ｉｄｅｎｔｉｆｉｅｒ）、使用されるストリームの数（ＮＳＴＳ：Ｎｕｍｂｅｒ  ｏｆ  ｓｐａｃｅ-ｔｉｍｅ  ｓｔｒｅａｍ）／部分ＡＩＤ（Ｐａｒｔｉａｌ  ＡＩＤ（ａｓｓｏｃｉａｔｉｏｎ  Ｉｄｅｎｔｉｆｉｅｒ））に対する情報及び送信パワーセーブ禁止（Ｔｒａｎｓｍｉｔ  ｐｏｗｅｒ  ｓａｖｅ  ｆｏｒｂｉｄｄｅｎ）情報を含むことができる。ここで、Ｇｒｏｕｐ  ＩＤは、ＭＵ-ＭＩＭＯ送信を支援するために送信対象ＳＴＡグループに対して割り当てられる識別子を意味し、現在使用されたＭＩＭＯ送信方法がＭＵ-ＭＩＭＯであるか、またはＳＵ-ＭＩＭＯであるかを表すことができる。
【０１０５】
ＶＨＴ-ＳＩＧ-Ａ２フィールドは、短い保護区間（ＧＩ：Ｇｕａｒｄ  Ｉｎｔｅｒｖａｌ）の使用有無に対する情報、フォワードエラー訂正（ＦＥＣ：Ｆｏｒｗａｒｄ  Ｅｒｒｏｒ  Ｃｏｒｒｅｃｔｉｏｎ）情報、単一ユーザに対するＭＣＳ（Ｍｏｄｕｌａｔｉｏｎ  ａｎｄ  Ｃｏｄｉｎｇ  Ｓｃｈｅｍｅ）に関する情報、複数ユーザに対するチャネルコーディングの種類に関する情報、ビーム形成関連情報、ＣＲＣ（Ｃｙｃｌｉｃ  Ｒｅｄｕｎｄａｎｃｙ  Ｃｈｅｃｋｉｎｇ）のための冗長ビット（ｒｅｄｕｎｄａｎｃｙ  ｂｉｔｓ）と畳み込みデコーダ（ｃｏｎｖｏｌｕｔｉｏｎａｌ  ｄｅｃｏｄｅｒ）のテールビット（ｔａｉｌ  ｂｉｔ）などを含むことができる。
【０１０６】
ＶＨＴ-ＳＴＦは、ＭＩＭＯ送信においてＡＧＣ推定の性能を改善するために使用される。
【０１０７】
ＶＨＴ-ＬＴＦは、ＶＨＴ-ＳＴＡがＭＩＭＯチャネルを推定するのに使用される。ＶＨＴ  ＷＬＡＮシステムは、ＭＵ-ＭＩＭＯを支援するから、ＶＨＴ-ＬＴＦは、ＰＰＤＵが送信される空間ストリームの数だけ設定されることができる。追加的に、フルチャネルサウンディング（ｆｕｌｌ  ｃｈａｎｎｅｌ  ｓｏｕｎｄｉｎｇ）が支援される場合、ＶＨＴ-ＬＴＦの数は、より多くなることができる。
【０１０８】
ＶＨＴ-ＳＩＧ-Ｂフィールドは、ＭＵ-ＭＩＭＯペアリングされた複数のＶＨＴ-ＳＴＡがＰＰＤＵを受信してデータを獲得するのに必要な専用制御情報を含む。したがって、ＶＨＴ-ＳＩＧ-Ａフィールドに含まれた共用制御情報が現在受信されたＰＰＤＵがＭＵ-ＭＩＭＯ送信を指示した場合においてのみ、ＶＨＴ-ＳＴＡは、ＶＨＴ-ＳＩＧ-Ｂをデコードするよう設計されることができる。これに対し、共用制御情報が現在受信されたＰＰＤＵが単一ＶＨＴ-ＳＴＡのためのもの（ＳＵ-ＭＩＭＯを含む）であることを指示した場合、ＳＴＡは、ＶＨＴ-ＳＩＧ-Ｂフィールドをデコードしないように設計されることができる。
【０１０９】
ＶＨＴ-ＳＩＧ-Ｂフィールドは、各ＶＨＴ-ＳＴＡの変調、エンコーディング及びレートマッチング（ｒａｔｅ-ｍａｔｃｈｉｎｇ）に対する情報を含むことができる。ＶＨＴ-ＳＩＧ-Ｂフィールドの大きさは、ＭＩＭＯ送信の類型（ＭＵ-ＭＩＭＯまたはＳＵ-ＭＩＭＯ）及びＰＰＤＵ送信のために使用するチャネル帯域幅に応じて異なりうる。
【０１１０】
ＭＵ-ＭＩＭＯを支援するシステムにおいて同じ大きさのＰＰＤＵをＡＰにペアリングされたＳＴＡに送信するために、ＰＰＤＵを構成するデータフィールドのビット大きさを指示する情報及び／または特定フィールドを構成するビットストリーム大きさを指示する情報がＶＨＴ-ＳＩＧ-Ａフィールドに含まれることができる。
【０１１１】
ただし、効果的にＰＰＤＵフォーマットを使用するために、Ｌ-ＳＩＧフィールドが使用されることもできる。同じ大きさのＰＰＤＵがすべてのＳＴＡに送信されるために、Ｌ-ＳＩＧフィールド内に含まれて送信される長さフィールド（ｌｅｎｇｔｈ  ｆｉｅｌｄ）及びレートフィールド（ｒａｔｅ  ｆｉｅｌｄ）が必要な情報を提供するために使用されることができる。この場合、ＭＰＤＵ（ＭＡＣ  Ｐｒｏｔｏｃｏｌ  Ｄａｔａ  Ｕｎｉｔ）及び／またはＡ-ＭＰＤＵ（Ａｇｇｒｅｇａｔｅ  ＭＡＣ  Ｐｒｏｔｏｃｏｌ  Ｄａｔａ  Ｕｎｉｔ）がＭＡＣ階層のバイト（またはオクテット（ｏｃｔ：ｏｃｔｅｔ））に基づいて設定されるので、物理階層で追加的なパディング（ｐａｄｄｉｎｇ）が要求されることができる。
【０１１２】
図４においてデータフィールドは、ペイロード（ｐａｙｌｏａｄ）として、サービスフィールド（ＳＥＲＶＩＣＥ  ｆｉｅｌｄ）、スクランブルされたＰＳＤＵ（ｓｃｒａｍｂｌｅｄ  ＰＳＤＵ）、テールビット（ｔａｉｌ  ｂｉｔｓ）、パディングビット（ｐａｄｄｉｎｇ  ｂｉｔｓ）を含むことができる。
【０１１３】
上述のように、様々なＰＰＤＵのフォーマットが混合して使用されるから、ＳＴＡは、受信したＰＰＤＵのフォーマットを区分できなければならない。
【０１１４】
ここで、ＰＰＤＵを区分するという意味（またはＰＰＤＵフォーマットを区分するという意味）は、多様な意味を有することができる。例えば、ＰＰＤＵを区分するという意味は、受信したＰＰＤＵがＳＴＡによりデコード（または解析）が可能なＰＰＤＵであるかどうかに対して判断するという意味を含むことができる。また、ＰＰＤＵを区分するという意味は、受信したＰＰＤＵがＳＴＡにより支援可能なＰＰＤＵであるかどうかに対して判断するという意味でありうる。また、ＰＰＤＵを区分するという意味は、受信したＰＰＤＵを介して送信された情報がいかなる情報であるかを区分するという意味としても解析できる。
【０１１５】
これについて、以下の図面を参照してさらに詳細に説明する。
【０１１６】
図５は、本発明が適用されることができる無線通信システムのＰＰＤＵのフォーマットを区分するための星状点（ｃｏｎｓｔｅｌｌａｔｉｏｎ）を例示する図である。
【０１１７】
図５の（ａ）は、ｎｏｎ-ＨＴフォーマットＰＰＤＵに含まれるＬ-ＳＩＧフィールドの星状点（ｃｏｎｓｔｅｌｌａｔｉｏｎ）を例示し、図５の（ｂ）は、ＨＴ混合フォーマットＰＰＤＵ検出のための位相回転（ｐｈａｓｅ  ｒｏｔａｔｉｏｎ）を例示し、図５の（ｃ）は、ＶＨＴフォーマットＰＰＤＵ検出のための位相回転（ｐｈａｓｅ  ｒｏｔａｔｉｏｎ）を例示する。
【０１１８】
ＳＴＡがｎｏｎ-ＨＴフォーマットＰＰＤＵ、ＨＴ-ＧＦフォーマットＰＰＤＵ、ＨＴ混合フォーマットＰＰＤＵ及びＶＨＴフォーマットＰＰＤＵを区分（ｃｌａｓｓｉｆｉｃａｔｉｏｎ）するために、Ｌ-ＳＩＧフィールド及びＬ-ＳＩＧフィールド以後に送信されるＯＦＤＭシンボルの星状（ｃｏｎｓｔｅｌｌａｔｉｏｎ）の位相（ｐｈａｓｅ）が使用される。すなわち、ＳＴＡは、受信したＰＰＤＵのＬ-ＳＩＧフィールド及び／またはＬ-ＳＩＧフィールド以後に送信されるＯＦＤＭシンボルの星状の位相に基づいてＰＰＤＵフォーマットを区分できる。
【０１１９】
図５の（ａ）を参照すると、Ｌ-ＳＩＧフィールドを構成するＯＦＤＭシンボルは、ＢＰＳＫ（Ｂｉｎａｒｙ  Ｐｈａｓｅ  Ｓｈｉｆｔ  Ｋｅｙｉｎｇ）が利用される。
【０１２０】
まず、ＨＴ-ＧＦフォーマットＰＰＤＵを区分するために、ＳＴＡは、受信したＰＰＤＵで最初のＳＩＧフィールドが感知されると、Ｌ-ＳＩＧフィールド認知であるかどうかを判断する。すなわち、ＳＴＡは、図５の（ａ）の例示のような星状を基盤としてデコードを試みる。ＳＴＡがデコードに失敗すると、該当ＰＰＤＵがＨＴ-ＧＦフォーマットＰＰＤＵであると判断できる。
【０１２１】
次に、ｎｏｎ-ＨＴフォーマットＰＰＤＵ、ＨＴ混合フォーマットＰＰＤＵ及びＶＨＴフォーマットＰＰＤＵを区分（ｃｌａｓｓｉｆｉｃａｔｉｏｎ）するために、Ｌ-ＳＩＧフィールド以後に送信されるＯＦＤＭシンボルの星状の位相が使用されることができる。すなわち、Ｌ-ＳＩＧフィールド以後に送信されるＯＦＤＭシンボルの変調方法が互いに異なることができ、ＳＴＡは、受信したＰＰＤＵのＬ-ＳＩＧフィールド以後のフィールドに対する変調方法に基づいてＰＰＤＵフォーマットを区分できる。
【０１２２】
図５の（ｂ）を参照すると、ＨＴ混合フォーマットＰＰＤＵを仕分けするために、ＨＴ混合フォーマットＰＰＤＵでＬ-ＳＩＧフィールド以後に送信される２個のＯＦＤＭシンボルの位相が使用されることができる。
【０１２３】
さらに具体的に、ＨＴ混合フォーマットＰＰＤＵでＬ-ＳＩＧフィールド以後に送信されるＨＴ-ＳＩＧフィールドに対応するＯＦＤＭシンボル＃１及びＯＦＤＭシンボル＃２の位相は、全部半時計方向に９０度だけ回転される。すなわち、ＯＦＤＭシンボル＃１及びＯＦＤＭシンボル＃２に対した変調方法は、ＱＢＰＳＫ（Ｑｕａｄｒａｔｕｒｅ  Ｂｉｎａｒｙ  Ｐｈａｓｅ  Ｓｈｉｆｔ  Ｋｅｙｉｎｇ）が利用される。ＱＢＰＳＫ星状は、ＢＰＳＫ星状に基づいて半時計方向に９０度だけ位相が回転した星状でありうる。
【０１２４】
ＳＴＡは、受信したＰＰＤＵのＬ-ＳＩＧフィールドの次に送信されるＨＴ-ＳＩＧフィールドに対応する第１ＯＦＤＭシンボル及び第２ＯＦＤＭシンボルを図５の（ｂ）の例示のような星状に基づいてデコードを試みる。ＳＴＡがデコードに成功すると、該当ＰＰＤＵがＨＴフォーマットＰＰＤＵであると判断する。
【０１２５】
次に、ｎｏｎ-ＨＴフォーマットＰＰＤＵ及びＶＨＴフォーマットＰＰＤＵを区分するために、Ｌ-ＳＩＧフィールド以後に送信されるＯＦＤＭシンボルの星状の位相が使用されることができる。
【０１２６】
図５の（ｃ）を参照すると、ＶＨＴフォーマットＰＰＤＵを区分（ｃｌａｓｓｉｆｉｃａｔｉｏｎ）するために、ＶＨＴフォーマットＰＰＤＵでＬ-ＳＩＧフィールド以後に送信される２個のＯＦＤＭシンボルの位相が使用されることができる。
【０１２７】
さらに具体的に、ＶＨＴフォーマットＰＰＤＵでＬ-ＳＩＧフィールド以後のＶＨＴ-ＳＩＧ-Ａフィールドに対応するＯＦＤＭシンボル＃１の位相は回転されないが、ＯＦＤＭシンボル＃２の位相は、半時計方向に９０度だけ回転される。すなわち、ＯＦＤＭシンボル＃１に対した変調方法は、ＢＰＳＫが利用され、ＯＦＤＭシンボル＃２に対した変調方法は、ＱＢＰＳＫが利用される。
【０１２８】
ＳＴＡは受信したＰＰＤＵのＬ-ＳＩＧフィールドの次に送信されるＶＨＴ-ＳＩＧフィールドに対応する第１ＯＦＤＭシンボル及び第２ＯＦＤＭシンボルを図５の（ｃ）の例示のような星状に基づいてデコードを試みる。ＳＴＡがデコードに成功すると、該当ＰＰＤＵがＶＨＴフォーマットＰＰＤＵであると判断できる。
【０１２９】
反面、デコードに失敗すると、ＳＴＡは、該当ＰＰＤＵがｎｏｎ-ＨＴフォーマットＰＰＤＵであると判断できる。
【０１３０】
ＭＡＣフレームフォーマット
【０１３１】
図６は、本発明が適用されることができるＩＥＥＥ  ８０２．１１システムのＭＡＣフレームフォーマットを例示する。
【０１３２】
図６を参照すると、ＭＡＣフレーム（すなわち、ＭＰＤＵ）は、ＭＡＣヘッダ（ＭＡＣ  Ｈｅａｄｅｒ）、フレーム本体（Ｆｒａｍｅ  Ｂｏｄｙ）及びフレームチェックシーケンス（ＦＣＳ：ｆｒａｍｅ  ｃｈｅｃｋ  ｓｅｑｕｅｎｃｅ）から構成される。
【０１３３】
ＭＡＣ  Ｈｅａｄｅｒは、フレーム制御（Ｆｒａｍｅ  Ｃｏｎｔｒｏｌ）フィールド、持続時間／識別子（Ｄｕｒａｔｉｏｎ／ＩＤ）フィールド、アドレス１（Ａｄｄｒｅｓｓ１）フィールド、アドレス２（Ａｄｄｒｅｓｓ２）フィールド、アドレス３（Ａｄｄｒｅｓｓ３）フィールド、シーケンス制御（Ｓｅｑｕｅｎｃｅ  Ｃｏｎｔｒｏｌ）フィールド、アドレス４（Ａｄｄｒｅｓｓ４）フィールド、ＱｏＳ制御（ＱｏＳ  Ｃｏｎｔｒｏｌ）フィールド及びＨＴ制御（ＨＴ  Ｃｏｎｔｒｏｌ）フィールドを含む領域と定義される。
【０１３４】
Ｆｒａｍｅ  Ｃｏｎｔｒｏｌフィールドは、該当ＭＡＣフレーム特性に対する情報を含む。 Ｆｒａｍｅ  Ｃｏｎｔｒｏｌフィールドに対するさらに詳細な説明は後述する。
【０１３５】
Ｄｕｒａｔｉｏｎ／ＩＤフィールドは、該当ＭＡＣフレームのタイプ及びサブタイプに応じる他の値を有するように具現化されることができる。
【０１３６】
仮に、該当ＭＡＣフレームのタイプ及びサブタイプがパワーセーブ（ＰＳ：ｐｏｗｅｒ  ｓａｖｅ）運営のためのＰＳ-ポール（ＰＳ-Ｐｏｌｌ）フレームの場合、Ｄｕｒａｔｉｏｎ／ＩＤフィールドは、フレームを送信したＳＴＡのＡＩＤ（ａｓｓｏｃｉａｔｉｏｎ  ｉｄｅｎｔｉｆｉｅｒ）を含むように設定されることができる。その以外の場合、Ｄｕｒａｔｉｏｎ／ＩＤフィールドは、該当ＭＡＣフレームのタイプ及びサブタイプに応じて特定持続時間値を有するように設定されることができる。また、フレームがＡ-ＭＰＤＵ（ａｇｇｒｅｇａｔｅ-ＭＰＤＵ）フォーマットに含まれたＭＰＤＵである場合、ＭＡＣヘッダに含まれたＤｕｒａｔｉｏｎ／ＩＤフィールドは、全部同じ値を有するように設定されることもできる。
【０１３７】
Ａｄｄｒｅｓｓ１フィールドないしＡｄｄｒｅｓｓ４フィールドは、ＢＳＳＩＤ、ソースアドレス（ＳＡ：ｓｏｕｒｃｅ  ａｄｄｒｅｓｓ）、目的アドレス（ＤＡ：ｄｅｓｔｉｎａｔｉｏｎ  ａｄｄｒｅｓｓ）、送信ＳＴＡアドレスを表す送信アドレス（ＴＡ：Ｔｒａｎｓｍｉｔｔｉｎｇ  Ａｄｄｒｅｓｓ）、受信ＳＴＡアドレスを表す受信アドレス（ＲＡ：Ｒｅｃｅｉｖｉｎｇ  Ａｄｄｒｅｓｓ）を指示するために使用される。
【０１３８】
一方、ＴＡフィールドにより具現化されたアドレスフィールドは、帯域幅シグナリングＴＡ（ｂａｎｄｗｉｄｔｈ  ｓｉｇｎａｌｉｎｇ  ＴＡ）値に設定されることができ、この場合、ＴＡフィールドは、該当ＭＡＣフレームがスクランブリングシーケンスに追加的な情報を含んでいることを指示できる。帯域幅シグナリングＴＡは、該当ＭＡＣフレームを送信するＳＴＡのＭＡＣアドレスと表現されることができるが、ＭＡＣアドレスに含まれた個別／グループビット（Ｉｎｄｉｖｉｄｕａｌ／Ｇｒｏｕｐ  ｂｉｔ）が特定値（例えば、「１」）に設定されることができる。
【０１３９】
Ｓｅｑｕｅｎｃｅ  Ｃｏｎｔｒｏｌフィールドは、シーケンスナンバー（ｓｅｑｕｅｎｃｅ  ｎｕｍｂｅｒ）及びフラグメントナンバー（ｆｒａｇｍｅｎｔ  ｎｕｍｂｅｒ）を含むように設定される。シーケンスナンバーを該当ＭＡＣフレームに割り当てられたシーケンスナンバーを指示できる。フラグメントナンバーは、該当ＭＡＣフレームの各フラグメントのナンバーを指示できる。
【０１４０】
ＱｏＳ  Ｃｏｎｔｒｏｌフィールドは、ＱｏＳと関連した情報を含む。ＱｏＳ  Ｃｏｎｔｒｏｌフィールドは、サブタイプ（Ｓｕｂｔｙｐｅ）のサブフィールドにおいてＱｏＳデータフレームを指示する場合に含まれることができる。
【０１４１】
ＨＴ  Ｃｏｎｔｒｏｌフィールドは、ＨＴ及び／またはＶＨＴ送受信技法と関連した制御情報を含む。ＨＴ  Ｃｏｎｔｒｏｌフィールドは、制御ラッパー（Ｃｏｎｔｒｏｌ  Ｗｒａｐｐｅｒ）フレームに含まれる。また、オーダー（Ｏｒｄｅｒ）サブフィールド値が１であるＱｏＳデータ（ＱｏＳ  Ｄａｔａ）フレーム、管理（Ｍａｎａｇｅｍｅｎｔ）フレームに存在する。
【０１４２】
Ｆｒａｍｅ  Ｂｏｄｙは、ＭＡＣペイロード（ｐａｙｌｏａｄ）と定義され、上位階層で送信しようとするデータが位置するようになり、可変的な大きさを有する。例えば、最大ＭＰＤＵの大きさは、１１４５４オクテット（ｏｃｔｅｔｓ）で、最大ＰＰＤＵの大きさは、５．４８４ｍｓでありうる。
【０１４３】
ＦＣＳは、ＭＡＣフッター（ｆｏｏｔｅｒ）と定義され、ＭＡＣフレームのエラー探索のために使用される。
【０１４４】
最初の三つのフィールド（Ｆｒａｍｅ  Ｃｏｎｔｒｏｌフィールド、Ｄｕｒａｔｉｏｎ／ＩＤフィールド及びＡｄｄｒｅｓｓ１フィールド）と最も最後のフィールド（ＦＣＳフィールド）は、最小フレームフォーマットを構成し、すべてのフレームに存在する。その他のフィールドは、特定フレームタイプにおいてのみ存在できる。
【０１４５】
図７は、本発明が適用されることができる無線通信システムにおけるＭＡＣフレーム内のフレーム制御（Ｆｒａｍｅ  Ｃｏｎｔｒｏｌ）フィールドを例示する図である。
【０１４６】
図７を参照すると、Ｆｒａｍｅ  Ｃｏｎｔｒｏｌフィールドは、プロトコルバージョン（Ｐｒｏｔｏｃｏｌ  Ｖｅｒｓｉｏｎ）サブフィールド、タイプ（Ｔｙｐｅ）サブフィールド、サブタイプ（Ｓｕｂｔｙｐｅ）サブフィールド、Ｔｏ  ＤＳサブフィールド、Ｆｒｏｍ  ＤＳサブフィールド、追加フラグメント（Ｍｏｒｅ  Ｆｒａｇｍｅｎｔｓ）サブフィールド、再試図（Ｒｅｔｒｙ）サブフィールド、パワー管理（Ｐｏｗｅｒ  Ｍａｎａｇｅｍｅｎｔ）サブフィールド、追加データ（Ｍｏｒｅ  Ｄａｔａ）サブフィールド、保護されたフレーム（Ｐｒｏｔｅｃｔｅｄ  Ｆｒａｍｅ）サブフィールド及びオーダー（Ｏｒｄｅｒ）サブフィールドから構成される。
【０１４７】
Ｐｒｏｔｏｃｏｌ  Ｖｅｒｓｉｏｎサブフィールドは、該当ＭＡＣフレームに適用されたＷＬＡＮプロトコルのバージョンを指示できる。
【０１４８】
Ｔｙｐｅサブフィールド及びＳｕｂｔｙｐｅサブフィールドは、該当ＭＡＣフレームの機能を識別する情報を指示するように設定されることができる。
【０１４９】
ＭＡＣフレームのタイプは、管理フレーム（Ｍａｎａｇｅｍｅｎｔ  Ｆｒａｍｅ）、制御フレーム（Ｃｏｎｔｒｏｌ  Ｆｒａｍｅ）、データフレーム（Ｄａｔａ  Ｆｒａｍｅ）の三通りのフレームタイプを含むことができる。
【０１５０】
そして、各フレームタイプは、またサブタイプに区分されることができる。
【０１５１】
例えば、制御フレーム（Ｃｏｎｔｒｏｌｆｒａｍｅｓ）は、ＲＴＳ（ｒｅｑｕｅｓｔ  ｔｏ  ｓｅｎｄ）フレーム、ＣＴＳ（ｃｌｅａｒ-ｔｏ-ｓｅｎｄ）フレーム、ＡＣＫ（Ａｃｋｎｏｗｌｅｄｇｍｅｎｔ）フレーム、ＰＳ-Ｐｏｌｌフレーム、ＣＦ（ｃｏｎｔｅｎｔｉｏｎ  ｆｒｅｅ）-Ｅｎｄフレーム、ＣＦ-Ｅｎｄ＋ＣＦ-ＡＣＫフレーム、ブロックＡＣＫ要請（ＢＡＲ：Ｂｌｏｃｋ  Ａｃｋｎｏｗｌｅｄｇｍｅｎｔ  ｒｅｑｕｅｓｔ）フレーム、ブロックＡＣＫ（ＢＡ：Ｂｌｏｃｋ  Ａｃｋｎｏｗｌｅｄｇｍｅｎｔ）フレーム、制御ラッパー（Ｃｏｎｔｒｏｌ  Ｗｒａｐｐｅｒ（Ｃｏｎｔｒｏｌ＋ＨＴ  Ｃｏｎｔｒｏｌ））フレーム、ＶＨＴナルデータパケット公知（ＮＤＰＡ：Ｎｕｌｌ  Ｄａｔａ  Ｐａｃｋｅｔ  Ａｎｎｏｕｎｃｅｍｅｎｔ）、ビーム形成報告ポール（Ｂｅａｍｆｏｒｍｉｎｇ  Ｒｅｐｏｒｔ  Ｐｏｌｌ）フレームを含むことができる。
【０１５２】
管理フレーム（Ｍａｎａｇｅｍｅｎｔ  ｆｒａｍｅｓ）は、ビーコン（Ｂｅａｃｏｎ）フレーム、ＡＴＩＭ（Ａｎｎｏｕｎｃｅｍｅｎｔ  Ｔｒａｆｆｉｃ  Ｉｎｄｉｃａｔｉｏｎ  Ｍｅｓｓａｇｅ）フレーム、連係解除（Ｄｉｓａｓｓｏｃｉａｔｉｏｎ）フレーム、連係要請／応答（Ａｓｓｏｃｉａｔｉｏｎ  Ｒｅｑｕｅｓｔ／Ｒｅｓｐｏｎｓｅ）フレーム、再連係要請／応答（Ｒｅａｓｓｏｃｉａｔｉｏｎ  Ｒｅｑｕｅｓｔ／Ｒｅｓｐｏｎｓｅ）フレーム、プローブ要請／応答（Ｐｒｏｂｅ  Ｒｅｑｕｅｓｔ／Ｒｅｓｐｏｎｓｅ）フレーム、認証（Ａｕｔｈｅｎｔｉｃａｔｉｏｎ）フレーム、認証解除（Ｄｅａｕｔｈｅｎｔｉｃａｔｉｏｎ）フレーム、動作（Ａｃｔｉｏｎ）フレーム、動作無応答（Ａｃｔｉｏｎ  Ｎｏ  ＡＣＫ）フレーム、タイミング広告（Ｔｉｍｉｎｇ  Ａｄｖｅｒｔｉｓｅｍｅｎｔ）フレームを含むことができる。
【０１５３】
Ｔｏ  ＤＳサブフィールド及びＦｒｏｍ  ＤＳサブフィールドは、該当ＭＡＣフレームヘッダに含まれたＡｄｄｒｅｓｓ  １フィールドないしＡｄｄｒｅｓｓ  ４フィールドを解釈するために必要な情報を含むことができる。Ｃｏｎｔｒｏｌフレームの場合、Ｔｏ  ＤＳサブフィールド及びＦｒｏｍ  ＤＳサブフィールドは、全部「０」に設定される。Ｍａｎａｇｅｍｅｎｔフレームの場合、Ｔｏ  ＤＳサブフィールド及びＦｒｏｍ  ＤＳサブフィールドは、該当フレームがＱｏＳ管理フレーム（ＱＭＦ：ＱｏＳ  Ｍａｎａｇｅｍｅｎｔ  ｆｒａｍｅ）であると、順に「１」、「０」に設定され、該当フレームがＱＭＦではないと、順に全部「０」、「０」に設定されることができる。
【０１５４】
Ｍｏｒｅ  Ｆｒａｇｍｅｎｔｓサブフィールドは、該当ＭＡＣフレームに続いて送信されるフラグメント（ｆｒａｇｍｅｎｔ）が存在しているかどうかを指示できる。現在ＭＳＤＵまたはＭＭＰＤＵのさらに他のフラグメントが存在する場合、「１」に設定され、そうでない場合、「０」に設定されることができる。
【０１５５】
Ｒｅｔｒｙサブフィールドは、該当ＭＡＣフレームが以前ＭＡＣフレームの再送信によるものであるかどうかを指示できる。以前ＭＡＣフレームの再送信である場合、「１」に設定され、そうでない場合、「０」に設定されることができる。
【０１５６】
Ｐｏｗｅｒ  Ｍａｎａｇｅｍｅｎｔサブフィールドは、ＳＴＡのパワー管理モードを指示できる。Ｐｏｗｅｒ  Ｍａｎａｇｅｍｅｎｔサブフィールド値が「１」であると、ＳＴＡがパワーセーブモードに転換するのを指示できる。
【０１５７】
Ｍｏｒｅ  Ｄａｔａサブフィールドは、追加的に送信されるＭＡＣフレームが存在しているかどうかを指示できる。追加的に送信されるＭＡＣフレームが存在する場合、「１」に設定され、そうでない場合、「０」に設定されることができる。
【０１５８】
Ｐｒｏｔｅｃｔｅｄ  Ｆｒａｍｅサブフィールドは、フレームボディー（Ｆｒａｍｅ  Ｂｏｄｙ）フィールドが暗号化されたかどうかを指示できる。Ｆｒａｍｅ  Ｂｏｄｙフィールドが暗号化されたエンカプセレーションアルゴリズム（ｃｒｙｐｔｏｇｒａｐｈｉｃ  ｅｎｃａｐｓｕｌａｔｉｏｎ  ａｌｇｏｒｉｔｈｍ）により処理された情報を含む場合、「１」に設定され、そうでない場合、「０」に設定されることができる。
【０１５９】
上述の各フィールドに含まれる情報は、ＩＥＥＥ  ８０２．１１システムの定義に従うことができる。また、上述の各フィールドは、ＭＡＣフレームに含まれることができるフィールドの例示に該当し、これに限定されない。すなわち、上述の各フィールドが他のフィールドに代替されるか、または追加的なフィールドがさらに含まれることができ、すべてのフィールドが必須的に含まれなくても良い。
【０１６０】
図８は、図６によるＭＡＣフレームにおけるＨＴ  ＣｏｎｔｒｏｌフィールドのＨＴフォーマットを例示する。
【０１６１】
図８を参照すると、ＨＴ  Ｃｏｎｔｒｏｌフィールドは、ＶＨＴサブフィールド、ＨＴ制御ミドル（ＨＴ  Ｃｏｎｔｒｏｌ  Ｍｉｄｄｌｅ）サブフィールド、ＡＣ制限（ＡＣ  Ｃｏｎｓｔｒａｉｎｔ）サブフィールド及び逆方向承認（ＲＤＧ：Ｒｅｖｅｒｓｅ  Ｄｉｒｅｃｔｉｏｎ  Ｇｒａｎｔ）／追加ＰＰＤＵ（Ｍｏｒｅ  ＰＰＤＵ）サブフィールドから構成されることができる。
【０１６２】
ＶＨＴサブフィールドは、ＨＴ  ＣｏｎｔｒｏｌフィールドがＶＨＴのためのＨＴ  Ｃｏｎｔｒｏｌフィールドのフォーマットを有するかどうか（ＶＨＴ＝１）またはＨＴのためのＨＴ  Ｃｏｎｔｒｏｌフィールドのフォーマットを有するかどうか（ＶＨＴ＝０）を指示する。図８では、ＶＨＴのためのＨＴ  Ｃｏｎｔｒｏｌフィールド（すなわち、ＶＨＴ＝０）を仮定して説明する。
【０１６３】
ＨＴ  Ｃｏｎｔｒｏｌ  Ｍｉｄｄｌｅサブフィールドは、ＶＨＴサブフィールドの指示に従って他のフォーマットを有するように具現されることができる。ＨＴ  Ｃｏｎｔｒｏｌ  Ｍｉｄｄｌｅサブフィールドについてのさらに詳細な説明は後述する。
【０１６４】
ＡＣ  Ｃｏｎｓｔｒａｉｎｔサブフィールドは、逆方向（ＲＤ：ｒｅｖｅｒｓｅ  ｄｉｒｅｃｔｉｏｎ）データフレームのマップされたＡＣ（Ａｃｃｅｓｓ  Ｃａｔｅｇｏｒｙ）が単一ＡＣに限定されたことであるかどうかを指示する。
【０１６５】
ＲＤＧ／Ｍｏｒｅ  ＰＰＤＵサブフィールドは、該当フィールドがＲＤイニシエーター（ｉｎｉｔｉａｔｏｒ）またはＲＤ応答者（ｒｅｓｐｏｎｄｅｒ）によって送信されるかどうかによって異なるように解析されることができる。
【０１６６】
ＲＤイニシエーターによって送信された場合、ＲＤＧが存在する場合、ＲＤＧ／Ｍｏｒｅ  ＰＰＤＵフィールドが「１」に設定され、ＲＤＧが存在しない場合、「０」に設定される。ＲＤ応答者によって送信された場合、該当サブフィールドを含むＰＰＤＵがＲＤ応答者により送信された最後のフレームであると、「１」に設定され、さらに他のＰＰＤＵが送信されると、「０」に設定される。
【０１６７】
ＨＴのためのＨＴ  ＣｏｎｔｒｏｌフィールドのＨＴ  Ｃｏｎｔｒｏｌ  Ｍｉｄｄｌｅサブフィールドは、リンク適応（Ｌｉｎｋ  Ａｄａｐｔａｔｉｏｎ）サブフィールド、キャリブレーションポジション（Ｃａｌｉｂｒａｔｉｏｎ  Ｐｏｓｉｔｉｏｎ）サブフィールド、キャリブレーションシーケンス（Ｃａｌｉｂｒａｔｉｏｎ  Ｓｅｑｕｅｎｃｅ）サブフィールド、予備（Ｒｅｓｅｒｖｅｄ）サブフィールド、チャネル状態情報／調整（ＣＳＩ／Ｓｔｅｅｒｉｎｇ：Ｃｈａｎｎｅｌ  Ｓｔａｔｅ  Ｉｎｆｏｒｍａｔｉｏｎ／Ｓｔｅｅｒｉｎｇ）サブフィールド、ＨＴ  ＮＤＰ公知（ＨＴ  ＮＤＰ  Ａｎｎｏｕｎｃｅｍｅｎｔ：ＨＴ  Ｎｕｌｌ  Ｄａｔａ  Ｐａｃｋｅｔ  Ａｎｎｏｕｎｃｅｍｅｎｔ）サブフィールド、予備（Ｒｅｓｅｒｖｅｄ）サブフィールドを含むことができる。
【０１６８】
Ｌｉｎｋ  Ａｄａｐｔａｔｉｏｎサブフィールドは、トレーニング要請（ＴＲＱ：Ｔｒａｉｎｉｎｇ  ｒｅｑｕｅｓｔ）サブフィールド、ＭＣＳ要請またはアンテナ選択指示（ＭＡＩ：ＭＣＳ（Ｍｏｄｕｌａｔｉｏｎ  ａｎｄ  Ｃｏｄｉｎｇ  Ｓｃｈｅｍｅ）Ｒｅｑｕｅｓｔ  ｏｒ  ＡＳＥＬ（Ａｎｔｅｎｎａ  Ｓｅｌｅｃｔｉｏｎ）Ｉｎｄｉｃａｔｉｏｎ）サブフィールド、ＭＣＳフィードバックシーケンス指示（ＭＦＳＩ：ＭＣＳ  Ｆｅｅｄｂａｃｋ  Ｓｅｑｕｅｎｃｅ  Ｉｄｅｎｔｉｆｉｅｒ）サブフィールド、ＭＣＳフィードバック及びアンテナ選択命令／データ（ＭＦＢ／ＡＳＥＬＣ：ＭＣＳ  Ｆｅｅｄｂａｃｋ  ａｎｄ  Ａｎｔｅｎｎａ  Ｓｅｌｅｃｔｉｏｎ  Ｃｏｍｍａｎｄ／ｄａｔａ）サブフィールドを含むことができる。
【０１６９】
ＴＲＱサブフィールドは、応答者（ｒｅｓｐｏｎｄｅｒ）にサウンディングＰＰＤＵ（ｓｏｕｎｄｉｎｇ  ＰＰＤＵ）送信を要請する場合に１に設定され、応答者にサウンディングＰＰＤＵ送信を要請しない場合に０に設定される。
【０１７０】
ＭＡＩサブフィールドが１４に設定されると、アンテナ選択指示（ＡＳＥＬ  ｉｎｄｉｃａｔｉｏｎ）を表し、ＭＦＢ／ＡＳＥＬＣサブフィールドは、アンテナ選択命令／データとして解釈される。そうでない場合、ＭＡＩサブフィールドはＭＣＳ要請を表し、ＭＦＢ／ＡＳＥＬＣサブフィールドは、ＭＣＳフィードバックとして解釈される。
【０１７１】
ＭＡＩサブフィールドがＭＣＳ要請（ＭＲＱ：ＭＣＳ  Ｒｅｑｕｅｓｔ）を表す場合、ＭＡＩサブフィールドは、ＭＲＱ（ＭＣＳ  ｒｅｑｕｅｓｔ）及びＭＳＩ（ＭＲＱ  ｓｅｑｕｅｎｃｅ  ｉｄｅｎｔｉｆｉｅｒ）から構成されると解釈される。ＭＲＱサブフィールドは、ＭＣＳフィードバックが要請されると、「１」に設定され、ＭＣＳフィードバックが要請されないと、「０」に設定される。ＭＲＱサブフィールドが「１」であるとき、ＭＳＩサブフィールドは、ＭＣＳフィードバック要請を特定するためのシーケンス番号を含む。ＭＲＱサブフィールドが「０」であるとき、ＭＳＩサブフィールドは、予備（ｒｅｓｅｒｖｅｄ）ビットに設定される。
【０１７２】
上述の各サブフィールドは、ＨＴ制御フィールドに含まれることができるサブフィールドの例示に該当し、他のサブフィールドに代替されるか、または追加的なサブフィールドがさらに含まれることができる。
【０１７３】
図９は、本発明が適用されることができる無線通信システムにおけるＨＴ  ＣｏｎｔｒｏｌフィールドのＶＨＴフォーマットを例示する。
【０１７４】
図９を参照すると、ＨＴ  Ｃｏｎｔｒｏｌフィールドは、ＶＨＴサブフィールド、ＨＴ制御ミドル（ＨＴ  Ｃｏｎｔｒｏｌ  Ｍｉｄｄｌｅ）サブフィールド、ＡＣ制限（ＡＣ  Ｃｏｎｓｔｒａｉｎｔ）サブフィールド及び逆方向承認（ＲＤＧ：Ｒｅｖｅｒｓｅ  Ｄｉｒｅｃｔｉｏｎ  Ｇｒａｎｔ）／追加ＰＰＤＵ（Ｍｏｒｅ  ＰＰＤＵ）サブフィールドから構成されることができる。
【０１７５】
図９では、ＶＨＴのためのＨＴ  Ｃｏｎｔｒｏｌフィールド（すなわち、ＶＨＴ＝１）を仮定して説明する。ＶＨＴのためのＨＴ  ＣｏｎｔｒｏｌフィールドをＶＨＴ  Ｃｏｎｔｒｏｌフィールドと呼ぶことができる。
【０１７６】
ＡＣ  Ｃｏｎｓｔｒａｉｎｔサブフィールド及びＲＤＧ／Ｍｏｒｅ  ＰＰＤＵサブフィールドについての説明は、上述の図８での説明と同一なのでその説明を省略する。
【０１７７】
上述のように、ＨＴ  Ｃｏｎｔｒｏｌ  Ｍｉｄｄｌｅサブフィールドは、ＶＨＴサブフィールドの指示に従って、他のフォーマットを有するように具現されることができる。
【０１７８】
ＶＨＴのためのＨＴ  ＣｏｎｔｒｏｌフィールドのＨＴ  Ｃｏｎｔｒｏｌ  Ｍｉｄｄｌｅサブフィールドは、予備ビット（Ｒｅｓｅｒｖｅｄ  ｂｉｔ）、ＭＣＳフィードバック要請（ＭＲＱ：ＭＣＳ（Ｍｏｄｕｌａｔｉｏｎ  ａｎｄ  Ｃｏｄｉｎｇ  Ｓｃｈｅｍｅ）ｆｅｅｄｂａｃｋ  ｒｅｑｕｅｓｔ）サブフィールド、ＭＲＱシーケンス識別子（ＭＳＩ：ＭＲＱ  Ｓｅｑｕｅｎｃｅ  Ｉｄｅｎｔｉｆｉｅｒ）／時空間ブロックコーディング（ＳＴＢＣ：ｓｐａｃｅ-ｔｉｍｅ  ｂｌｏｃｋ  ｃｏｄｉｎｇ）サブフィールド、ＭＣＳフィードバックシーケンス識別子（ＭＦＳＩ：ＭＣＳ  ｆｅｅｄｂａｃｋ  ｓｅｑｕｅｎｃｅ  ｉｄｅｎｔｉｆｉｅｒ）／グループＩＤ最下位ビット（ＧＩＤ-Ｌ：ＬＳＢ（Ｌｅａｓｔ  Ｓｉｇｎｉｆｉｃａｎｔ  Ｂｉｔ）ｏｆ  Ｇｒｏｕｐ  ＩＤ）サブフィールド、ＭＣＳフィードバック（ＭＦＢ：ＭＣＳ  Ｆｅｅｄｂａｃｋ）サブフィールド、グループＩＤ最上位ビット（ＧＩＤ-Ｈ：ＭＳＢ（Ｍｏｓｔ  Ｓｉｇｎｉｆｉｃａｎｔ  Ｂｉｔ）ｏｆ  Ｇｒｏｕｐ  ＩＤ）サブフィールド、コーディングタイプ（Ｃｏｄｉｎｇ  Ｔｙｐｅ）サブフィールド、フィードバック送信タイプ（ＦＢ  Ｔｘ  Ｔｙｐｅ：Ｆｅｅｄｂａｃｋ  Ｔｒａｎｓｍｉｓｓｉｏｎ  ｔｙｐｅ）サブフィールド及び自発的ＭＦＢ（Ｕｎｓｏｌｉｃｉｔｅｄ  ＭＦＢ）サブフィールドから構成されることができる。
【０１７９】
そして、ＭＦＢサブフィールドは、ＶＨＴ空間-時間ストリーム数（ＮＵＭ＿ＳＴＳ：Ｎｕｍｂｅｒ  ｏｆ  ｓｐａｃｅ  ｔｉｍｅ  ｓｔｒｅａｍｓ）サブフィールド、ＶＨＴ-ＭＣＳサブフィールド、帯域幅（ＢＷ：Ｂａｎｄｗｉｄｔｈ）サブフィールド、信号対雑音比（ＳＮＲ：Ｓｉｇｎａｌ  ｔｏ  Ｎｏｉｓｅ  Ｒａｔｉｏ）サブフィールドを含むことができる。
【０１８０】
ＮＵＭ＿ＳＴＳサブフィールドは、推薦する空間ストリームの数を指示する。ＶＨＴ-ＭＣＳサブフィールドは、推薦するＭＣＳを指示する。ＢＷサブフィールドは、推薦するＭＣＳと関連した帯域幅情報を指示する。ＳＮＲサブフィールドは、データサブキャリヤ及び空間ストリーム上の平均ＳＮＲ値を指示する。
【０１８１】
上述の各フィールドに含まれる情報は、ＩＥＥＥ  ８０２．１１システムの定義に従うことができる。また、上述の各フィールドは、ＭＡＣフレームに含まれることができるフィールドの例示に該当し、これに限定されない。すなわち、上述の各フィールドが他のフィールドに代替されるか、または追加的なフィールドがさらに含まれることができ、すべてのフィールドが必需的に含まれなくても良い。
【０１８２】
リンクセットアップ手順（Ｌｉｎｋ  Ｓｅｔｕｐ  Ｐｒｏｃｅｄｕｒｅ）
【０１８３】
図１０は、本発明が適用されることができる無線通信システムにおける一般的なリンクセットアップ（ｌｉｎｋ  ｓｅｔｕｐ）手順を説明するための図である。
【０１８４】
ＳＴＡがネットワークに対してリンクをセットアップしデータを送受信するためには、まずネットワークを発見（ｄｉｓｃｏｖｅｒｙ）するためのスキャニング（Ｓｃａｎｎｉｎｇ）手順、認証（ａｕｔｈｅｎｔｉｃａｔｉｏｎ）手順、連係（ａｓｓｏｃｉａｔｉｏｎ）手順などを経なければならない。リンクセットアップ手順をセッション開始手順、セッションセットアップ手順とも呼ぶことができる。また、リンクセットアップ手順のスキャニング、認証、連係手順を通称して連係手順と呼ぶこともできる。
【０１８５】
ＷＬＡＮにおいてスキャニング手順は、受動的スキャニング（ｐａｓｓｉｖｅ  ｓｃａｎｎｉｎｇ）手順と能動的スキャニング（ａｃｔｉｖｅ  ｓｃａｎｎｉｎｇ）手順がある。
【０１８６】
図１０（ａ）は、受動的スキャニング（ｐａｓｓｉｖｅ  ｓｃａｎｎｉｎｇ）に応じるリンクセットアップ（ｌｉｎｋ  ｓｅｔｕｐ）手順を例示し、図１０（ｂ）は、能動的スキャニング（ａｃｔｉｖｅ  ｓｃａｎｎｉｎｇ）に応じるリンクセットアップ（ｌｉｎｋ  ｓｅｔｕｐ）手順を例示する。
【０１８７】
図１０（ａ）のように、受動的スキャニング手順は、ＡＰが周期的にブロードキャストするビーコンフレーム（ｂｅａｃｏｎ  ｆｒａｍｅ）を介して行われる。ビーコンフレームは、ＩＥＥＥ  ８０２．１１において管理フレーム（ｍａｎａｇｅｍｅｎｔ  ｆｒａｍｅ）のうちの一つであって、無線ネットワークの存在を知らせ、スキャニングを行うｎｏｎ-ＡＰ  ＳＴＡにとって無線ネットワークを探して、無線ネットワークに参加できるように周期的に（例えば、１００ｍｓｅｃ間隔）ブロードキャストされる。ビーコンフレームには、現在のネットワークに対する情報（例えば、ＢＳＳに対した情報）が載せられている。
【０１８８】
ネットワークに対する情報を得るために、ｎｏｎ-ＡＰ  ＳＴＡは、受動的にチャネルを移しながらビーコンフレームの受信を待つ。ビーコンフレームを受信したｎｏｎ-ＡＰ  ＳＴＡは、受信したビーコンフレームに含まれたネットワークに対する情報を格納し、次のチャネルに移動して同じ方法で次のチャネルでスキャニングを行うことができる。ｎｏｎ-ＡＰ  ＳＴＡがビーコンフレームを受信してネットワークに対する情報を獲得することによって、該当チャネルでのスキャニング手順が完了する。
【０１８９】
このように、受動的スキャニング手順は、ｎｏｎ-ＡＰ  ＳＴＡが他のフレームを送信する必要無しでビーコンフレームを受信しさえすれば手順が完了するので、全体的なオーバーヘッドが少ないという長所がある。ただし、ビーコンフレームの送信周期に比例して、ｎｏｎ-ＡＰ  ＳＴＡのスキャニング遂行時間が増えるという短所がある。
【０１９０】
これに対し、図１０（ｂ）のような能動的スキャニング手順は、ｎｏｎ-ＡＰ  ＳＴＡが周辺にどんなＡＰが存在するかどうかを探索するために、能動的にチャネルを移しながらプローブ要請フレーム（ｐｒｏｂｅ  ｒｅｑｕｅｓｔ  ｆｒａｍｅ）をブロードキャストすることで、これを受信したすべてのＡＰからネットワーク情報を要求する。
【０１９１】
プローブ要請フレームを受信した応答者（ｒｅｓｐｏｎｄｅｒ）は、フレーム衝突を防止するためにランダム（ｒａｎｄｏｍ）時間の間に待った後に、プローブ応答フレーム（ｐｒｏｂｅ  ｒｅｓｐｏｎｓｅ  ｆｒａｍｅ）にネットワーク情報を載せて、該当ｎｏｎ-ＡＰ  ＳＴＡに送信する。プローブ応答フレームを受信したＳＴＡは、受信したプローブ応答フレームに含まれたネットワーク関連情報を格納し、次のチャネルに移動して、同じ方法でスキャニングを行うことができる。ｎｏｎ-ＡＰ  ＳＴＡがプローブ応答フレームを受信してネットワーク情報を獲得することによって、スキャニング手順が完了する。
【０１９２】
能動的スキャニング手順は、受動的スキャニング手順に比べて相対的に速い時間の間にスキャニングを終えることができるという長所がある。しかしながら、追加的なフレームシーケンス（ｆｒａｍｅ  ｓｅｑｕｅｎｃｅ）が必要であるから、全体的なネットワークオーバーヘッドは増加するようになる。
【０１９３】
スキャニング手順を完了したｎｏｎ-ＡＰ  ＳＴＡは、自分だけの基準によってネットワークを選択した後に該当ＡＰと認証（ａｕｔｈｅｎｔｉｃａｔｉｏｎ）手順を行う。
【０１９４】
認証手順は、ｎｏｎ-ＡＰ  ＳＴＡが認証要請フレーム（ａｕｔｈｅｎｔｉｃａｔｉｏｎ  ｒｅｑｕｅｓｔ  ｆｒａｍｅ）をＡＰに送信する過程とこれに応答してＡＰが認証応答フレーム（ａｕｔｈｅｎｔｉｃａｔｉｏｎ  ｒｅｓｐｏｎｓｅ  ｆｒａｍｅ）をｎｏｎ-ＡＰ  ＳＴＡに送信する過程、すなわち２-ｗａｙハンドシェーキング（ｈａｎｄｓｈａｋｉｎｇ）で行われる。
【０１９５】
認証要請／応答に用いられる認証フレーム（ａｕｔｈｅｎｔｉｃａｔｉｏｎ  ｆｒａｍｅ）は、管理フレームに該当する。
【０１９６】
認証フレームは、認証アルゴリズム番号（ａｕｔｈｅｎｔｉｃａｔｉｏｎ  ａｌｇｏｒｉｔｈｍ  ｎｕｍｂｅｒ）、認証トランザクションシーケンス番号（ａｕｔｈｅｎｔｉｃａｔｉｏｎ  ｔｒａｎｓａｃｔｉｏｎ  ｓｅｑｕｅｎｃｅ  ｎｕｍｂｅｒ）、状態コード（ｓｔａｔｕｓ  ｃｏｄｅ）、チャレンジテキスト（ｃｈａｌｌｅｎｇｅ  ｔｅｘｔ）、ＲＳＮ（Ｒｏｂｕｓｔ  Ｓｅｃｕｒｉｔｙ  Ｎｅｔｗｏｒｋ）、有限循環グループ（Ｆｉｎｉｔｅ  Ｃｙｃｌｉｃ  Ｇｒｏｕｐ）などに対する情報を含むことができる。これは認証要請／応答フレームに含まれることができる情報の一部例示に該当し、他の情報に代替されるか、または追加的な情報がさらに含まれることができる。
【０１９７】
ｎｏｎ-ＡＰ  ＳＴＡは、認証要請フレームをＡＰに送信できる。ＡＰは、受信された認証要請フレームに含まれた情報に基づいて、該当ｎｏｎ-ＡＰ  ＳＴＡに対する認証を許容するかどうかを決定できる。ＡＰは、認証処理の結果を認証応答フレームを介してｎｏｎ-ＡＰ  ＳＴＡに提供できる。
【０１９８】
認証手順を介してｎｏｎ-ＡＰ  ＳＴＡとＡＰとは、互いにに対する認証を経た後、連係（ａｓｓｏｃｉａｔｉｏｎ）を確立（ｅＳＴＡ  Ｂｌｉｓｈ）する。
【０１９９】
連係過程は、ｎｏｎ-ＡＰ  ＳＴＡが連係要請フレーム（ａｓｓｏｃｉａｔｉｏｎ  ｒｅｑｕｅｓｔ  ｆｒａｍｅ）をＡＰに送信する過程と、これに応答してＡＰが連係応答フレーム（ａｓｓｏｃｉａｔｉｏｎ  ｒｅｓｐｏｎｓｅ  ｆｒａｍｅ）をｎｏｎ-ＡＰ  ＳＴＡに送信する過程、すなわち２-ｗａｙハンドシェーキング（ｈａｎｄｓｈａｋｉｎｇ）で行われる。
【０２００】
連係要請フレームは、ｎｏｎ-ＡＰ  ＳＴＡの多様な能力（ｃａｐａｂｉｌｉｔｙ）に関連した情報、ビーコン聴取間隔（ｌｉｓｔｅｎ  ｉｎｔｅｒｖａｌ）、ＳＳＩＤ（ｓｅｒｖｉｃｅ  ｓｅｔ  ｉｄｅｎｔｉｆｉｅｒ）、支援レート（ｓｕｐｐｏｒｔｅｄ  ｒａｔｅｓ）、支援チャネル（ｓｕｐｐｏｒｔｅｄ  ｃｈａｎｎｅｌｓ）、ＲＳＮ、移動性ドメイン、支援オペレーティングクラス（ｓｕｐｐｏｒｔｅｄ  ｏｐｅｒａｔｉｎｇ  ｃｌａｓｓｅｓ）、ＴＩＭ放送要請（Ｔｒａｆｆｉｃ  Ｉｎｄｉｃａｔｉｏｎ  Ｍａｐ  Ｂｒｏａｄｃａｓｔ  ｒｅｑｕｅｓｔ）、相互動作（ｉｎｔｅｒｗｏｒｋｉｎｇ）サービス能力などに対する情報を含むことができる。
【０２０１】
これに基づいて、ＡＰは、該当ｎｏｎ-ＡＰ  ＳＴＡに対して支援が可能であるかどうかを判断する。決定後にＡＰは、連係応答フレームに連係要請に対する受諾有無とその理由、自身が支援可能な性能（Ｃａｐａｂｉｌｉｔｙ  Ｉｎｆｏｒｍａｔｉｏｎ）に対する情報を込めて、ｎｏｎ-ＡＰ  ＳＴＡに送信する。
【０２０２】
連係応答フレームは、多様な能力に関連した情報、状態コード、ＡＩＤ（Ａｓｓｏｃｉａｔｉｏｎ  ＩＤ）、支援レート、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット、ＲＣＰＩ（Ｒｅｃｅｉｖｅｄ  Ｃｈａｎｎｅｌ  Ｐｏｗｅｒ  Ｉｎｄｉｃａｔｏｒ）、ＲＳＮＩ（Ｒｅｃｅｉｖｅｄ  Ｓｉｇｎａｌ  ｔｏ  Ｎｏｉｓｅ  Ｉｎｄｉｃａｔｏｒ）、移動性ドメイン、タイムアウト間隔（連係カムバック時間（ａｓｓｏｃｉａｔｉｏｎ  ｃｏｍｅｂａｃｋ  ｔｉｍｅ））、重複（ｏｖｅｒｌａｐｐｉｎｇ）ＢＳＳスキャンパラメータ、ＴＩＭ放送応答、ＱｏＳ（Ｑｕａｌｉｔｙ  ｏｆ  Ｓｅｒｖｉｃｅ）マップなどの情報を含むことができる。
【０２０３】
上述の連係要請／応答フレームに含まれることができる情報は例示に該当し、他の情報に代替されるか、または追加的な情報がさらに含まれることができる。
【０２０４】
ｎｏｎ-ＡＰ  ＳＴＡがＡＰと成功的に連係を確立した場合、正常的な送／受信がなされるようになる。これに対し、ＡＰと成功的に連係を確立できない場合、その理由に基づいてｎｏｎ-ＡＰ  ＳＴＡは、また連係手順を試みるか、または他のＡＰに連係を試みることができる。
【０２０５】
媒体アクセスメカニズム
【０２０６】
ＩＥＥＥ  ８０２．１１における通信は、共有された無線媒体（ｓｈａｒｅｄ  ｗｉｒｅｌｅｓｓ  ｍｅｄｉｕｍ）においてなされるから、有線チャネル（ｗｉｒｅｄ  ｃｈａｎｎｅｌ）環境とは根本的に異なる特徴を有する。
【０２０７】
有線チャネル環境では、ＣＳＭＡ／ＣＤ（ｃａｒｒｉｅｒ  ｓｅｎｓｅ  ｍｕｌｔｉｐｌｅ  ａｃｃｅｓｓ／ｃｏｌｌｉｓｉｏｎ  ｄｅｔｅｃｔｉｏｎ）に基づいて通信が可能である。例えば、送信端から一回シグナルが送信されると、チャネル環境が大きな変化がないから、受信端まで大きく信号が減衰されずに送信される。このとき、二つ以上のシグナルが衝突されると、感知（ｄｅｔｅｃｔｉｏｎ）が可能であった。これは、受信端で感知された電力（ｐｏｗｅｒ）が瞬間的に送信端から送信した電力より大きくなるためである。しかしながら、無線チャネル環境は、多様な要素（例えば、距離に応じてシグナルの減衰が大きいか、または瞬間的に深いフェージング（ｄｅｅｐ  ｆａｄｉｎｇ）を経ることができる）がチャネルに影響を与えるから、実際に受信端で信号が正しく送信されたか、または衝突が発生したか、送信端で正確にキャリヤセンシング（ｃａｒｒｉｅｒ  ｓｅｎｓｉｎｇ）をすることができない。
【０２０８】
これにより、ＩＥＥＥ  ８０２．１１に応じるＷＬＡＮシステムにおいて、ＭＡＣの基本アクセスメカニズムとしてＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムを導入した。ＣＡＭＡ／ＣＡメカニズムは、ＩＥＥＥ  ８０２．１１ＭＡＣの分配調整機能（ＤＣＦ：Ｄｉｓｔｒｉｂｕｔｅｄ  Ｃｏｏｒｄｉｎａｔｉｏｎ  Ｆｕｎｃｔｉｏｎ）とも呼ばれるが、基本的に「ｌｉｓｔｅｎ  ｂｅｆｏｒｅ  ｔａｌｋ」アクセスメカニズムを採用している。このような類型のアクセスメカニズムによると、ＡＰ及び／またはＳＴＡは、送信を始めるに先立ち、所定の時間区間（例えば、ＤＩＦＳ（ＤＣＦ  Ｉｎｔｅｒ-Ｆｒａｍｅ  Ｓｐａｃｅ））の間に無線チャネルまたは媒体（ｍｅｄｉｕｍ）をセンシング（ｓｅｎｓｉｎｇ）するＣＣＡ（Ｃｌｅａｒ  Ｃｈａｎｎｅｌ  Ａｓｓｅｓｓｍｅｎｔ）を行う。センシング結果、万が一、媒体がアイドル状態（ｉｄｌｅ  ｓｔａｔｕｓ）であると判断されると、該当媒体を介してフレーム送信を始める。これに対し、媒体が占有状態（ｏｃｃｕｐｉｅｄ  ｓｔａｔｕｓ）であると感知されると、該当ＡＰ及び／またはＳＴＡは、自分自身の送信を開始せずに、既に様々なＳＴＡが該当媒体を使用するために待機しているという仮定下でＤＩＦＳに追加的に媒体アクセスのための遅延時間（例えば、任意のバックオフ周期（ｒａｎｄｏｍ  ｂａｃｋｏｆｆ  ｐｅｒｉｏｄ））の間により待った後にフレーム送信を試みることができる。
【０２０９】
任意のバックオフ周期を適用することによって、フレームを送信するための複数のＳＴＡが存在すると仮定するとき、複数のＳＴＡは、確率的に異なるバックオフ周期値を有するようになって、互いに異なる時間の間に待機した後にフレーム送信を試みることが期待されるので、衝突（ｃｏｌｌｉｓｉｏｎ）を最小化させることができる。
【０２１０】
また、ＩＥＥＥ  ８０２．１１ＭＡＣプロトコルは、ＨＣＦ（Ｈｙｂｒｉｄ  Ｃｏｏｒｄｉｎａｔｉｏｎ  Ｆｕｎｃｔｉｏｎ）を提供する。ＨＣＦは、前記ＤＣＦと支点調整機能（ＰＣＦ：Ｐｏｉｎｔ  Ｃｏｏｒｄｉｎａｔｉｏｎ  Ｆｕｎｃｔｉｏｎ）を基盤とする。ＰＣＦは、ポーリング（ｐｏｌｌｉｎｇ）基盤の同期式アクセス方式ですべての受信ＡＰ及び／またはＳＴＡがデータフレームを受信することができるように、周期的にポーリングする方式を称する。また、ＨＣＦは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）とＨＣＣＡ（ＨＣＦ  Ｃｏｎｔｒｏｌｌｅｄ  Ｃｈａｎｎｅｌ  Ａｃｃｅｓｓ）を有する。ＥＤＣＡは、提供者が多数のユーザにデータフレームを提供するためのアクセス方式を競争基盤で行うことで、ＨＣＣＡは、ポーリング（ｐｏｌｌｉｎｇ）メカニズムを利用した非競争基盤のチャネルアクセス方式を使用することである。また、ＨＣＦは、ＷＬＡＮのＱｏＳ（Ｑｕａｌｉｔｙ  ｏｆ  Ｓｅｒｖｉｃｅ）を向上させるための媒体アクセスメカニズムを含み、競争周期（ＣＰ：Ｃｏｎｔｅｎｔｉｏｎ  Ｐｅｒｉｏｄ）と非競争周期（ＣＦＰ：Ｃｏｎｔｅｎｔｉｏｎ  Ｆｒｅｅ  Ｐｅｒｉｏｄ）の両方でＱｏＳデータを送信できる。
【０２１１】
図１１は、本発明が適用されることができる無線通信システムにおける任意のバックオフ周期とフレーム送信手順を説明するための図である。
【０２１２】
特定媒体が占有（ｏｃｃｕｐｙまたはｂｕｓｙ）状態からアイドル（ｉｄｌｅ）状態に変更されると、複数のＳＴＡは、データ（またはフレーム）送信を試みることができる。このとき、衝突を最小化するための方案として、ＳＴＡは、各々任意のバックオフカウント（ｒａｎｄｏｍ  ｂａｃｋｏｆｆ  ｃｏｕｎｔ）を選択し、それに該当するスロット時間（ｓｌｏｔ  ｔｉｍｅ）分だけ待機した後に、送信を試みることができる。任意のバックオフカウントは、疑似-任意整数（ｐｓｅｕｄｏ-ｒａｎｄｏｍ  ｉｎｔｅｇｅｒ）値を有し、０ないし競争ウィンドウ（ＣＷ：Ｃｏｎｔｅｎｔｉｏｎ  Ｗｉｎｄｏｗ）範囲で均一分布（ｕｎｉｆｏｒｍ  ｄｉｓｔｒｉｂｕｔｉｏｎ）した値のうちのいずれか一つで決定されることができる。ここで、ＣＷは、競争ウィンドウパラメータ値である。ＣＷパラメータは、初期値としてＣＷｍｉｎが与えられるが、送信が失敗した場合（例えば、送信されたフレームに対するＡＣＫを受信していない場合）に２倍の値を取ることができる。ＣＷパラメータ値がＣＷｍａｘになると、データ送信が成功するまでＣＷｍａｘ値を維持しながらデータ送信を試みることができ、データ送信が成功する場合には、ＣＷｍｉｎ値にリセットされる。ＣＷ、ＣＷｍｉｎ及びＣＷｍａｘ値は、２ｎ-１（ｎ＝０，１，２，．．．）に設定されることが好ましい。
【０２１３】
任意のバックオフ過程が始まると、ＳＴＡは、決定されたバックオフカウント値に応じてバックオフスロットをカウントダウンし、カウントダウンする間に媒体をモニタリングし続ける。媒体が占有状態であるとモニタリングされる場合、カウントダウンを中断し待機するようになり、媒体がアイドル状態になると、カウントダウンを再開する。
【０２１４】
図１１の例示においてＳＴＡ３のＭＡＣに送信するパケットが到達した場合に、ＳＴＡ３は、ＤＩＦＳ分だけ媒体がアイドル状態であることを確認し、直にフレームを送信できる。
【０２１５】
一方、残りのＳＴＡは、媒体が占有（ｂｕｓｙ）状態であることをモニタリングし待機する。その間にＳＴＡ１、ＳＴＡ２及びＳＴＡ５のそれぞれでも送信するデータが発生でき、それぞれのＳＴＡは、媒体がアイドル状態であるとモニタリングされる場合、ＤＩＦＳだけ待機した後に、各自が選択した任意のバックオフカウント値に応じてバックオフスロットをカウントダウンする。
【０２１６】
図１１の例示では、ＳＴＡ２が最も小さなバックオフカウント値を選択し、ＳＴＡ１が最も大きなバックオフカウント値を選択した場合を示す。すなわち、ＳＴＡ２がバックオフカウントを終えフレーム送信を始める時点においてＳＴＡ５の残余バックオフ時間は、ＳＴＡ１の残余バックオフ時間より短い場合を例示する。
【０２１７】
ＳＴＡ１及びＳＴＡ５は、ＳＴＡ２が媒体を占有する間にカウントダウンを止め待機する。ＳＴＡ２の媒体占有が終了して媒体が再度アイドル状態になると、ＳＴＡ１及びＳＴＡ５は、ＤＩＦＳだけ待機した後に、止めたバックオフカウントを再開する。すなわち、残余バックオフ時間ほどの残りのバックオフスロットをカウントダウンした後にフレーム送信を始めることができる。ＳＴＡ５の残余バックオフ時間がＳＴＡ１より短かったので、ＳＴＡ５のフレーム送信を始めるようになる。
【０２１８】
一方、ＳＴＡ２が媒体を占有する間にＳＴＡ４でも送信するデータが発生できる。このとき、ＳＴＡ４の立場では、媒体がアイドル状態になると、ＤＩＦＳだけ待機した後、自身が選択した任意のバックオフカウント値に応じるバックオフスロットのカウントダウンを行う。
【０２１９】
図１１の例示では、ＳＴＡ５の残余バックオフ時間がＳＴＡ４の任意のバックオフカウント値と偶然に一致する場合を示し、この場合、ＳＴＡ４とＳＴＡ５との間に衝突が発生できる。衝突が発生する場合には、ＳＴＡ４とＳＴＡ５ともがＡＣＫを受信できないから、データ送信を失敗するようになる。この場合、ＳＴＡ４とＳＴＡ５は、ＣＷ値を２倍に増やした後に、任意のバックオフカウント値を選択しバックオフスロットのカウントダウンを行う。
【０２２０】
一方、ＳＴＡ１は、ＳＴＡ４とＳＴＡ５の送信により媒体が占有状態である間に待機している途中で、媒体がアイドル状態になると、ＤＩＦＳだけ待機した後に、残余バックオフ時間が経過すると、フレーム送信を始めることができる。
【０２２１】
ＣＳＭＡ／ＣＡメカニズムは、ＡＰ及び／またはＳＴＡが媒体を直接センシングする物理的キャリヤセンシング（ｐｈｙｓｉｃａｌ  ｃａｒｒｉｅｒ  ｓｅｎｓｉｎｇ）の他に、仮像キャリヤセンシング（ｖｉｒｔｕａｌ  ｃａｒｒｉｅｒ  ｓｅｎｓｉｎｇ）も含む。
【０２２２】
仮像キャリヤセンシングは、非表示ノード問題（ｈｉｄｄｅｎ  ｎｏｄｅ  ｐｒｏｂｌｅｍ）などのように媒体接近上発生できる問題を補完するためのものである。仮像キャリヤセンシングのために、ＷＬＡＮシステムのＭＡＣは、ネットワーク割り当てベクトル（ＮＡＶ：Ｎｅｔｗｏｒｋ  Ａｌｌｏｃａｔｉｏｎ  Ｖｅｃｔｏｒ）を利用する。ＮＡＶは、現在媒体を使用しているか、または使用する権限があるＡＰ及び／またはＳＴＡが、媒体が利用可能な状態になるまで残っている時間を他のＡＰ及び／またはＳＴＡに指示する値である。したがって、ＮＡＶに設定された値は、該当フレームを送信するＡＰ及び／またはＳＴＡによって媒体の使用が予定されている期間に該当し、ＮＡＶ値を受信するＳＴＡは、該当期間の間に媒体アクセスが禁止される。ＮＡＶは、例えば、フレームのＭＡＣヘッダ（ｈｅａｄｅｒ）の持続期間（ｄｕｒａｔｉｏｎ）フィールドの値に応じて設定されることができる。
【０２２３】
また、衝突可能性を減少させるために強固な衝突検出（ｒｏｂｕｓｔ  ｃｏｌｌｉｓｉｏｎｄｅｔｅｃｔ）メカニズムが導入された。これについて、図１２及び図１３を参照して説明する。実際のキャリヤセンシング範囲と送信範囲は同一でないときもありうるが、説明の便宜のために同じであると仮定する。
【０２２４】
図１２は、本発明が適用されることができる無線通信システムにおける隠されたノード及び露出したノードに対する説明のための図である。
【０２２５】
図１２（ａ）は、隠されたノードに対する例示であり、ＳＴＡ  ＡとＳＴＡ  Ｂは通信中にあり、ＳＴＡ  Ｃが送信する情報を有している場合である。具体的にＳＴＡ  ＡがＳＴＡ  Ｂに情報を送信している状況であるが、ＳＴＡ  ＣがＳＴＡ  Ｂにデータを送る前にキャリヤセンシングを行う時に媒体がアイドル状態であると判断できる。これはＳＴＡ  Ａの送信（すなわち、媒体占有）をＳＴＡ  Ｃの位置ではセンシングできない場合もあるからである。このような場合に、ＳＴＡ  ＢはＳＴＡ  ＡとＳＴＡ  Ｃの情報を同時に受けるから、衝突が発生するようになる。このとき、ＳＴＡ  Ａは、ＳＴＡ  Ｃの隠されたノードといえる。
【０２２６】
図１２（ｂ）は、露出したノード（ｅｘｐｏｓｅｄ  ｎｏｄｅ）に対する例示であり、ＳＴＡ  Ｂは、ＳＴＡ  Ａにデータを送信している状況において、ＳＴＡ  ＣがＳＴＡ  Ｄで送信する情報を有している場合である。この場合に、ＳＴＡ  Ｃがキャリヤセンシングを行うと、ＳＴＡ  Ｂの送信によって、媒体が占有された状態と判断できる。これにより、ＳＴＡ  ＣがＳＴＡ  Ｄに送信する情報があっても媒体占有状態であるとセンシングされるから、媒体がアイドル状態になるまで待たなければならない。しかしながら、実際には、ＳＴＡ  ＡはＳＴＡ  Ｃの送信範囲外にあるから、ＳＴＡ  Ｃからの送信とＳＴＡ  Ｂからの送信は、ＳＴＡ  Ａの立場では衝突しない場合もあるから、ＳＴＡ  Ｃは、ＳＴＡ  Ｂが送信を止めるまで不必要に待機することになる。このとき、ＳＴＡ  ＣをＳＴＡ  Ｂの露出したノードということができる。
【０２２７】
図１３は、本発明が適用されることができる無線通信システムにおけるＲＴＳとＣＴＳを説明するための図である。
【０２２８】
上述の図１２のような例示的な状況において衝突回避（ｃｏｌｌｉｓｉｏｎ  ａｖｏｉｄａｎｃｅ）メカニズムを效率的に利用するために、ＲＴＳ（ｒｅｑｕｅｓｔ  ｔｏ  ｓｅｎｄ）とＣＴＳ（ｃｌｅａｒ  ｔｏ  ｓｅｎｄ）などの短いシグナルリングパケット（ｓｈｏｒｔ  ｓｉｇｎａｌｉｎｇ  ｐａｃｋｅｔ）を利用できる。二つのＳＴＡ間のＲＴＳ／ＣＴＳは、周囲のＳＴＡ（ら）がオーバーヒアリング（ｏｖｅｒｈｅａｒｉｎｇ）できるようにして、前記周囲のＳＴＡ（ら）が前記二つのＳＴＡ間の情報送信有無を考慮するようにすることができる。
【０２２９】
ＲＴＳフレーム及びＣＴＳフレームは、実質的なデータフレーム送信及び受信確認応答（ＡＣＫ）が支援される場合、ＡＣＫフレームが送受信されるのに必要な無線媒体が接近予約された時間的な区間を指示する情報を含む。フレームを送信しようとするＡＰ及び／またはＳＴＡから送信されたＲＴＳフレームを受信するか、またはフレーム送信対象ＳＴＡから送信されたＣＴＳフレームを受信した他のＳＴＡは、ＲＴＳ／ＣＴＳフレームに含まれている情報が指示する時間的な区間の間に媒体に接近しないように設定されることができる。これは、時間区間の間にＮＡＶが設定されることにより具現されることができる。
【０２３０】
図１３（ａ）は、隠されたノード問題を解決する方法に対する例示であり、ＳＴＡ  ＡとＳＴＡ  Ｃが全部ＳＴＡ  Ｂにデータを送信しようとする場合を仮定する。ＳＴＡ  ＡがＲＴＳをＳＴＡ  Ｂに送信すると、ＳＴＡ  Ｂは、ＣＴＳを自身の周囲にあるＳＴＡ  ＡとＳＴＡ  Ｃに全部送信する。その結果、ＳＴＡ  Ｃは、ＳＴＡ  ＡとＳＴＡ  Ｂのデータ送信が終わるまで待つようになって、衝突を避けるようになる。
【０２３１】
図１３（ｂ）は、露出したノード問題を解決する方法に対する例示であり、ＳＴＡ  ＡとＳＴＡ  Ｂ間のＲＴＳ／ＣＴＳ送信をＳＴＡ  Ｃがオーバーヒアリングすることで、ＳＴＡ  Ｃは、自身が他のＳＴＡ（例えば、ＳＴＡ  Ｄ）にデータを送信しても衝突が発生しないと判断できる。すなわち、ＳＴＡ  Ｂは、周囲のすべての端末機にＲＴＳを送信し、実際に送信するデータがあるＳＴＡ  ＡだけＣＴＳを送信するようになる。ＳＴＡ  Ｃは、ＲＴＳだけを受信して、ＳＴＡ  ＡのＣＴＳを受信できなかったから、ＳＴＡ  Ａは、ＳＴＣ  Ｃのキャリヤセンシングの外にあることが分かる。
【０２３２】
ＨＥシステム
【０２３３】
以下、次世代ＷＬＡＮシステムについて説明する。次世代ＷＬＡＮシステムは、次世代ＷＩＦＩシステムであって、このような次世代ＷＩＦＩシステムの一実施の形態としてＩＥＥＥ  ８０２．１１ａｘを例として説明することもできる。本明細書において以下の次世代ＷＬＡＮシステムをＨＥ（Ｈｉｇｈ  Ｅｆｆｉｃｉｅｎｃｙ）システムと名付け、このシステムのフレーム、ＰＰＤＵなどをＨＥフレーム、ＨＥ  ＰＰＤＵ、ＨＥ-ＳＩＧフィールド、ＨＥ-ＳＴＦ及びＨＥ-ＬＴＦなどと呼ぶことができる。
【０２３４】
ＨＥシステムに対して以下で追加に述べない内容に対しては、上述のＶＨＴシステムのような従来のＷＬＡＮシステムに対する説明が適用されることができる。例えば、ＨＥ-ＳＩＧ  Ａフィールド、ＨＥ-ＳＴＦ、ＨＥ-ＬＴＦ及びＨＥ-ＳＩＧ-Ｂフィールドに対して、上述のＶＨＴ-ＳＩＧ  Ａフィールド、ＶＨＴ-ＳＴＦ、ＶＨＴ-ＬＴＦ及びＶＨＴ-ＳＩＧ-Ｂフィールドに対する説明が適用されることができる。提案されるＨＥシステムのＨＥフレーム及びプリアンブルなどは、ただし他の無線通信またはセルラシステムにも使用されることができる。ＨＥ  ＳＴＡは、上述のように、ｎｏｎ-ＡＰ  ＳＴＡまたはＡＰ  ＳＴＡになることができる。以下の明細書でＳＴＡと呼ばれても、このようなＳＴＡ装置は、ＨＥ  ＳＴＡ装置を表すこともできる。
【０２３５】
ＨＥ-ＳＩＧ  Ａフィールドは、ＰＰＤＵを受信するＳＴＡに共通的に送信される供用制御情報を含むことができる。ＨＥ-ＳＩＧ  Ａフィールドは、１個ないし３個のＯＦＤＭシンボルで送信されることができる。ＨＥ-ＳＩＧ  Ａフィールドは、２０ＭＨｚ単位で複写されて、同じ情報を含むことができる。また、ＨＥ-ＳＩＧ-Ａフィールドは、システムの全帯域幅情報を知らせる。実施の形態として、ＨＥ-ＳＩＧ  Ａフィールドは、帯域幅（Ｂａｎｄｗｉｄｔｈ）情報、グループ識別子（Ｇｒｏｕｐ  ＩＤ）情報、ストリーム情報、アップリンク指示（ＵＬ  ｉｎｄｉｃｉａｔｉｏｎ）情報、ガードインターバル指示情報、割り当て（ａｌｌｏｃａｔｉｏｎ  ｉｎｆｏｒｍａｔｉｏｎ）情報及び送信パワー情報のうち、を少なくとも一つを含むことができる。
【０２３６】
ＨＥ-ＳＩＧ  Ｂフィールドは、各ＳＴＡが自身のデータ（例えば、ＰＳＤＵ）を受信するために要求されるユーザ特定（ｕｓｅｒ-ｓｐｅｃｉｆｉｃ）情報を含むことができる。ＨＥ-ＳＩＧ  Ｂフィールドは、一つまたは二つのＯＦＤＭシンボルで送信されることができる。例えば、ＨＥ-ＳＩＧ  Ｂフィールドは、該当ＰＳＤＵの変調及びコーディング技法（ＭＣＳ）及び該当ＰＳＤＵの長さに関する情報を含むことができる。
【０２３７】
また、ＨＥシステムでは、アベレージスループット補強（ａｖｅｒａｇｅ  ｔｈｒｏｕｇｈｐｕｔ  ｅｎｈａｎｃｅｍｅｎｔ）及びアウトドアの強靭な送信（ｏｕｔｄｏｏｒ  ｒｏｂｕｓｔ  ｔｒａｎｓｍｉｓｓｉｏｎ）のために、従来のＷＬＡＮシステムに比べて４倍より大きなＦＦＴサイズを使用しようとする。４ｘＦＦＴスキームを適用する場合、４ｘＦＦＴスキームが適用されたシンボルのシンボル周期は４倍となる。これは４ｘＦＦＴサイズを使用する場合、全帯域幅は一定に使用し、副搬送波間の間隔（ｓｕｂｃａｒｒｉｅｒ  ｓｐａｃｉｎｇ）を１／４倍に使用するようになる場合に対する実施の形態として、副搬送波間の間隔が１／４になるので、一つのシンボルの周期は４倍になることができる。
【０２３８】
また、４倍ＦＦＴサイズの基準になる１ｘＦＦＴサイズは、ＶＨＴシステム（ＩＥＥＥ  ８０２．１１ａｃ）のＦＦＴサイズになることができる。したがって、４倍ＦＦＴサイズの基準になる１ｘＦＦＴサイズは、フレームのレガシープリアンブル部分（Ｌ-ＳＴＦ、Ｌ-ＬＴＦ及びＬ-ＳＩＧ）のＦＦＴサイズに該当することもできる。１ｘＦＦＴに対した一つのプリアンブルの周期は、ＩＤＦＴ／ＤＦＴ周期３．２ｕｓとガードインターバルシンボルの周期を足した周期で表すことができ、長いガードインターバル周期（Ｌｏｎｇ  ＧＩ  ｓｙｍｂｏｌ  ｉｎｔｅｒｖａｌ）の場合、４ｕｓ（３．２＋０．８）、短いガードインターバル周期（ｓｈｏｒｔ  ＧＩ  ｓｙｍｂｏｌ  ｉｎｔｅｒｖａｌ）の場合、３．６ｕｓ（３．２＋０、４）になることができる。データ部分のシンボル周期は３．２ｕｓであるから、ＨＥシステムにおいて４ｘＦＦＴスキームを適用すると、一つのシンボル周期は、１２．８ｕｓになることができる。または、データ部分のシンボル周期は、ＩＤＦＴ／ＤＦＴ周期の４倍で１２．８ｕｓと表現することもできる。
【０２３９】
ＨＥシステムでは、複数または多数のＳＴＡに同時により多くのデータを送受信するために、ＯＦＤＭＡスキームを使用することができる。ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）は、ＯＦＤＭデジタル変調スキームの多重ユーザバージョンである。ＯＦＤＭＡスキームは、ＯＦＤＭスキームに応じる多重搬送波、すなわち副搬送波を一人のユーザが独占することではなく、複数のユーザが副搬送波の部分集合を各々割り当てられて使用する方式を示す。ＯＦＤＭＡにおいて使用される副搬送波、すなわちサブキャリヤをトーンと呼ぶことができ、このようなトーンをどんな単位で割り当てて使用し、このような場合、各トーンサイズ割り当てに対してパイロット信号をどのように配置するかに対するトーンプランを以下で提案するようにする。
【０２４０】
８０２．１１ａｃシステムの場合、２０ＭＨｚ、４０ＭＨｚ、８０ＭＨｚ及び１６０ＭＨｚ（８０ＭＨｚ＋８０ＭＨｚ）の帯域幅を使用して信号を送信できる。このとき、サブキャリヤに挿入されるパイロットトーンの数字及び位置は、それぞれ以下のとおりである。
【０２４１】
２０ＭＨｚ帯域幅送信の場合、４個のパイロットトーンが挿入され、この４個のパイロットトーンは、｛-２１，-７，７，２１｝のインデックスに位置できる。４０ＭＨｚ帯域幅送信の場合、６個のパイロットトーンが挿入され、この６個のパイロットトーンは、｛-５３，-２５ ，-１１，１１，２５，５３｝のインデックスに位置できる。８０ＭＨｚ帯域幅送信の場合、８個のパイロットトーンが挿入され、この８個のパイロットトーンは、｛-１０３，-７５，-３９，-１１，１１，３９，７５，１０３｝のインデックスに位置できる。そして、１６０ＭＨｚ帯域幅送信の場合、１６個のパイロットトーンが挿入され、この１６個のパイロットトーンは、｛-２３１，-２０３，-１６７，-１３９，-１１７，-８９，-５３，-２５，２５，５３，８９，１１７，１３９，１６７，２０３，２３１｝のインデックスに位置できる。
【０２４２】
４ｘＦＦＴサイズ及びＯＦＤＭＡを適用する場合、８０２．１１ａｃシステムのパイロット配置をそのまま適用し難くなる。以下では、４ｘＦＦＴサイズを適用することによって増えたトーンをＯＦＤＭＡの使用のために複数のトーンユニット単位で割り当て、このようなトーンユニット別にパイロット構造が最大限対称（ｓｙｍｍｅｔｒｙ）を満たすパイロット位置を提案する。
【０２４３】
まず、本発明では、ＯＦＤＭＡに使用される基本ユニットのトーンサイズ及び該当ユニットで使用されるパイロットの数を定義する。基本ユニットは、２６トーンサイズのブロック、５２トーンサイズのブロック、１０８トーンサイズのブロック及び２４２トーンサイズのブロックを提案する。
１）２６トーンユニット
【０２４４】
ＯＦＤＭＡを使用する場合、サブキャリヤ割り当ての最小ユニットとして２６トーンサイズのサブブロックの使用を提案する。２６トーンは、従来の８０２．１１システムの１Ｍｈｚで使用されたトーン数と同じであるから、システム互換性を勘案して２個のパイロットトーンを含むようにデザインできる。
【０２４５】
２）５２トーンユニット
【０２４６】
ＯＦＤＭＡを使用する場合、サブキャリヤ割り当てのユニットとして、２６トーンユニット２個を合わせた５２トーンサイズのサブブロックの使用を提案する。５２トーンは、従来の８０２．１１システムの２０ＭＨｚで使用されたトーン数と同じであるから、システム互換性を勘案して４個のパイロットトーンを含むようにデザインできる。
【０２４７】
３）１０８トーンユニット
【０２４８】
ＯＦＤＭＡを使用する場合、サブキャリヤ割り当てのユニットとして、２６トーンユニット４個と４個のレフトオーバートーンを合わせた１０８トーンサイズのサブブロックの使用を提案する。６個のパイロットトーンを含むようにデザインでき、この場合、従来の８０２．１１システムの４０ＭＨｚインタリーバを少しの変更と共に使用することができるという長所を有する。
【０２４９】
４）２４２トーンユニット
【０２５０】
ＯＦＤＭＡを使用する場合、サブキャリヤ割り当てのユニットとして、２６トーンユニット９個と８個のレフトオーバートーンを合わせた２４２トーンサイズのサブブロックの使用を提案する。２４２トーンは、従来８０２．１１システムの８０ＭＨｚで使用されたトーン数と同じであるから、システム互換性を勘案して８個のパイロットトーンを含むようにデザインできる。
【０２５１】
以下、上述のＯＦＤＭＡサブブロックを使用する場合、パイロット位置の対称性（ｓｙｍｍｅｔｒｙ）を満たすことができるトーンプランについて説明する。トーンプランとは、ＯＦＤＭＡサブブロック及びパイロットトーンの配置を表すことができる。また、ＯＦＤＭＡサブブロックは、ＯＦＤＭＡを介してトーンを割り当てるユニットであって、トーンユニットと呼ぶことができる。
【０２５２】
図１４は、本発明の実施の形態にかかる５２トーンサイズのＯＦＤＭＡトーンユニットを示す。
【０２５３】
５２トーンユニットは、２個の２６トーンユニットを含む。したがって、５２トーンユニットの場合、ＤＣ、すなわち中心周波数を中心に常にパイロットトーンの対称性を満たす。
【０２５４】
図１５は、本発明の実施の形態にかかる１０８トーンサイズのＯＦＤＭＡトーンユニットを示す。
【０２５５】
１０８トーンユニットは、２個の５２トーンユニットと４個のレフトオーバートーンを含む。もちろん、５２トーンユニットは、２個の２６トーンユニットから構成されることもできるが、５２トーンユニットは、図１４に示したように、対称性を満たすから、以下では、便宜上、５２トーンユニットに基づいて説明する。
【０２５６】
１０８トーンユニットもまた、中心周波数に基づいて対称性を満たすためには、図１５のように、５２トーンユニットとレフトオーバートーンを配置しなければならない。
【０２５７】
実施の形態として、図１５（ａ）のように、２個の５２トーンユニットを中心周波数側に位置させ、エッジにレフトオーバートーンをそれぞれ２個ずつ両側のサイドに配置できる。他の実施の形態として、図１５（ｂ）のように、２個の５２トーンユニットを両側のサイドに位置させ、４個のレフトオーバートーンを中心に配置できる。他の実施の形態として、図１５（ｃ）のように、２個のレフトオーバートーンを中心に、２個のレフトオーバートーンを１個ずつそれぞれエッジに配置し、レフトオーバートーンの間に５２トーンユニットをそれぞれ配置することもできる。
【０２５８】
図１６は、本発明の実施の形態にかかる２４２トーンサイズのＯＦＤＭＡトーンユニットを示す。
【０２５９】
２４２トーンユニットは、２個の１０８トーンユニットと１個の２６トーンユニットとから構成されることができ、この場合、対称性を満たすためには、図１６のように、センターに２６トーンユニットを位置させ、２６トーンユニットの両側に１０８トーンユニットを位置させることができる。
【０２６０】
また、２４２トーンユニットは、４個の５２トーンユニットと１個の２６トーンと８個のレフトオーバートーンとから構成するか、９個の２６トーンユニットと８個のレフトオーバートーンとから構成することもできる。２４２-トーンユニットを５２-トーンユニットまたは２６トーンユニットを使用して構成する場合は、図１７に示した。
【０２６１】
図１７は、本発明の他の実施の形態にかかる２４２トーンサイズのＯＦＤＭＡトーンユニットを示す。
【０２６２】
図１７は、２４２トーンユニットを構成する方法を示し、図１７（ａ）ないし図１７（ｃ）において、２個の１０８トーンユニットと１個の２６トーンユニットを使用する構成は、図１６に示したとおりである。図１７（ａ）ないし図１７（ｃ）は、５２トーンユニットまたは２６トーンユニットを使用して２４２トーンユニットを構成する方法として、対称性を満たすことができる方法を示す。
【０２６３】
図１７（ａ）のように、５２トーンユニットまたは２５トーンユニットを使用する場合、レフトオーバートーンを両側のサイドに２個ずつ配置し、中央の２６トーンユニットの両側のサイドに２個ずつ配置できる。このような構成は、図１５（ａ）の１０８トーンユニットの構成を図１６の構成に使用した実施の形態に該当する。
【０２６４】
図１７（ｂ）のように、中央の２６トーンを基準に両側のサイドの５２トーンユニットの間または２個の２６トーンユニットの間に４個のレフトオーバートーンをそれぞれ配置できる。このような構成は、図１５（ｂ）の１０８トーンユニットの構成を図１６の構成に使用した実施の形態に該当する。
【０２６５】
図１７（ｃ）のように、レフトオーバートーンを両側のサイドに１個ずつ、中央の２６トーンユニットの両側のサイドに１個ずつ配置し、中央の２６トーンユニットを基準に両側に位置する５２トーンユニットの間に２個ずつまたは２個の２６トーンユニットの間に２個ずつ配置できる。このような構成は、図１５（ｃ）の１０８トーンユニットの構成を図１６の構成に使用した実施の形態に該当する。
【０２６６】
以下、上述のトーンプランに従う場合、上述のパイロットトーンの数に応じるパイロットトーンの位置について説明する。パイロットトーンの位置は、インデックスとして説明し、説明のためにトーンサイズ別トーンインデックスは、以下の表のとおりであると仮定する。表１のインデックスは、相対的な位置関係を表すものであり、インデックス番号自体が固有の値を有することではない。（例えば、１〜２６インデックスでの２番は、０〜２５インデックスでの１番に該当できるものである。）
【０２６７】
【表１】
2017530583.tif 000003
【０２６８】
また、各トーンユニットで使用されるパイロットトーンの位置は、２６トーンユニットとアラインメント（ａｌｉｇｎ）されると仮定する。
【０２６９】
まず、２６トーンユニットにおいてパイロットトーンの位置は、８０２．１１ａｈ  １ＭＨｚのパイロット位置においてガード部分とＤＣを除いた場合の位置である｛７，２０｝に決定する。｛７，２０｝は、２６トーン内で対称性を満たし、左右トーンをそれぞれ１３個ずつ分けた場合、その中央に位置するトーンインデックスとして、等間隔（ｅｑｕｉ-ｓｐａｃｅ）条件もまた満たす位置である。
【０２７０】
５２トーンユニットにおいてパイロットトーンの位置は、２６トーンユニットの位置を使用して｛７，２０，３３，４６｝に決定できる。この位置もまた、対称性と等間隔観点で良い性能を有する。
【０２７１】
２６トーンユニット及び５２トーンユニットの位置は、それぞれ｛ａ，２７-ａ｝及び｛ａ，２７-ａ，２６＋ａ，５３-ａ｝と表すことができ、ａは、１から１３間の整数である。以下、１０８トーンユニットと２４２トーンユニットについて先に述べたトーン構成とパイロットトーンの数に応じるパイロットトーンの位置について説明する。
【０２７２】
図１８は、本発明の実施の形態にかかるパイロットトーン位置決定方法を示す。
【０２７３】
図１８は、図１５（ａ）及び図１７（ａ）のようなトーンプランを使用する場合であって、１０８トーン及び２４２トーンに対するパイロットトーンの候補インデックスを示す。
１）１０８トーンユニットのパイロットトーンの位置
【０２７４】
上述のように、２６トーンユニットのパイロットトーンの位置は｛７，２０｝（あるいは｛ａ，２７-ａ｝）であるから、１０８トーンユニットにおいてパイロットトーンの位置は、図１８のように９，２２，３５，４８，６１，７４，８７，１００（あるいは２＋ａ，２９-ａ，２８＋ａ，５５-ａ，５４＋ａ，８１-ａ，８０＋ａ，１０７-ａ）のうち、６個を選択して使用することができる。この場合、９と１００、２２と８７，３５と７４、４８と６１（あるいは２＋ａと１０７-ａ、２９-ａと８０＋ａ、２８＋ａと８１-ａ、５５-ａと５４＋ａ）は、ペアとして共に使用されると、対称性においてより良い性能を有するようになる。したがって、１０８トーンユニットにおいてパイロットトーンの位置は、｛９，２２，３５，７４，８７，１００｝、｛９，２２，４８，６１，８７，１００｝、｛９，３５，４８，６１，７４，１００｝、及び｛２２，３５，４８，６１，７４，８７｝の４個のセットのうちの一つとして決定されることができる。これは｛２＋ａ，２９-ａ，２８＋ａ，８１-ａ，８０＋ａ，１０７-ａ｝、｛２＋ａ，２９-ａ，５５-ａ，５４＋ａ，８０＋ａ，１０７-ａ｝、｛２＋ａ，２８＋ａ，５５-ａ，５４＋ａ，８１-ａ，１０７-ａ｝、及び｛２９-ａ，２８＋ａ，５５-ａ，５４＋ａ，８１-ａ，８０＋ａ｝のような４個のセットで表現できる。
【０２７５】
追加的に、等間隔観点で１０８トーンユニットに最適化されたａ値を決定することもできる。１０８トーンユニットをパイロット数である６で割り算すると１８になるので、１８個のトーン単位でその中央、すなわち９番目あるいは１０番目のトーンにパイロットが位置すると、等間隔観点での性能が最も良好でありうる。最小距離の観点で２＋ａ、２９-ａ及び５５-ａのパイロットトーンとこれらのペア（５４＋ａ，８０＋ａ，１０７-ａ）を使用することを提案する。この場合、２＋ａが９または１０に近い値でなければならず、２９-ａが２７あるいは２８に近い値でなければならず、５５-ａが４５または４６に近くなければならない。すなわち、以下の式１を満たすａを使用して、最も良い性能を有するパイロット位置を決定できる。
【０２７６】
【数１】
2017530583.tif 000004
【０２７７】
式１を最小化するａ値は、７または８に決定され、２６トーンユニットと５２トーンユニットの等間隔性能を考慮して、ａは７に提案する。このような実施の形態において、パイロットトーンの位置は｛９，２２，４８，６１、８７，１００｝に決定されることができる。
【０２７８】
２）２４２トーンユニットのパイロットトーンの位置
【０２７９】
上述のように、２６トーンユニットのパイロットトーンの位置が｛７，２０｝（または｛ａ，２７-ａ｝）であるから、２４２トーンユニットにおいてパイロットトーンの位置は、図１８のように、９，２２，３５，４８，６１，７４，８７，１００，１１５，１２８，１４３，１５６，１６９，１８２，１９５，２０８，２２１，２３４（または２＋ａ，２９-ａ，２８＋ａ，５５-ａ，５４＋ａ，８１-ａ，８０＋ａ，１０７-ａ，１０８＋ａ，１３５-ａ，１３６＋ａ，１６３-ａ，１６２＋ａ，１８９-ａ，１８８＋ａ，２１５-ａ，２１４＋ａ，２４１-ａ）のうち、８個を選択して使用することができる。この場合、９と２３４、２２と２２１、３５と２０８、４８と１９５、６１と１８２、７４と１６９、８７と１５６、１００と１４３、１１５と１２８（または２＋ａと２４１-ａ、２９-ａと２１４＋ａ、２８＋ａと２１５-ａ、５５-ａと１８８＋ａ、５４＋ａと１８９-ａ、８１-ａと１６２＋ａ、８０＋ａと１６３-ａ、１０７-ａと１３６＋ａ、１０８＋ａと１３５-ａ）は、ペアとして共に使用されると、対称性においてより良い性能を有するようになる。このペアをそれぞれｐ１，ｐ２，．．．，ｐ９で表現でき、このような９個のペアのうち、重複なしで４個を選んだときに出てくることができるすべての場合を２４２トーンユニットのパイロットトーンの位置として決定できる。
【０２８０】
追加的に、等間隔観点で２４２トーンユニットに最適化したａ値を決定することもできる。２４２トーンユニットをパイロット数である８で割り算すると約３０で、残る２個のトーンは、両端に位置すると仮定する。したがって、３０個のトーン単位においてその中央、すなわち１５番目あるいは１６番目のトーンにパイロットが位置すると、等間隔観点での性能が最も良好でありうる。ただし、最初と最後は、３１個のトーンブロックであり、このブロックでは、１６番目のトーンにパイロットが位置すればよい。最小距離の観点において２９-ａ、５５-ａ、８１-ａ、１０７-ａのパイロットトーンとこれらのペアを使用することを提案する。この場合、２９-ａが１６に近い値でなければならず、５５-ａは、４６または４７に、８１-ａは、７６または７７に、１０７-ａは、１０６または１０７にそれぞれ近くなければならない。すなわち、以下の式２を満たすａを使用して、最も良い性能を有するパイロット位置を決定できる。
【０２８１】
【数２】
2017530583.tif 000005
【０２８２】
式２を最小化するａ値は、５ないし８のうちのいずれか一つの数に決定され、２６トーンユニット、５２トーンユニット及び１０８トーンユニットの等間隔性能を考慮して、ａは７に提案する。このような実施の形態において、パイロットトーンの位置は、｛２２，４８，７４，１００，１４３，１６９，１９５，２２１｝に決定されることができる。
【０２８３】
図１９は、本発明の他の一実施の形態にかかるパイロットトーン位置決定方法を示す。
【０２８４】
図１９は、図１５（ｂ）及び図１７（ｂ）のようなトーンプランを使用する場合であって、１０８トーン及び２４２トーンに対するパイロットトーンの候補インデックスを示す。
１）１０８トーンユニットのパイロットトーンの位置
【０２８５】
上述のように、２６トーンユニットのパイロットトーンの位置が｛７，２０｝（あるいは｛ａ，２７-ａ｝）であるから、１０８トーンユニットにおいてパイロットトーンの位置は、図１９のように７，２０，３３，４６，６３，７６，８９，１０２（あるいはａ，２７-ａ，２６＋ａ，５３-ａ，５６＋ａ，８３-ａ，８２＋ａ，１０９-ａ）のうち、６個を選択して使用することができる。この場合、７と１０２、２０と８９、３３と７６、４６と６３（あるいはａと１０９-ａ，２７-ａと８２＋ａ，２６＋ａと８３-ａ，５３-ａと５６＋ａ）は、ペアとして共に使用されると、対称性においてより良い性能を有するようになる。したがって、１０８トーンユニットにおいてパイロットトーンの位置は｛７，２０，３３，７６，８９，１０２｝ 、｛７，２０，４６，６３，８９，１０２｝ 、｛７，３３，４６，６３，７６，１０２｝ 、｛２０，３３，４６，６３，７６，８９｝の４個のセットのうち、一つとして決定されることができる。これは｛ａ，２７-ａ，２６＋ａ，８３-ａ，８２＋ａ，１０９-ａ｝ 、｛ａ，２７-ａ，５３-ａ，５６＋ａ，８２＋ａ，１０９-ａ｝ 、｛ａ，２６＋ａ，５３-ａ，５６＋ａ，８３-ａ，１０９-ａ｝及び｛２７-ａ，２６＋ａ，５３-ａ，５６＋ａ，８３-ａ，８２＋ａ｝のような４個のセットで表現できる。
【０２８６】
追加的に、等間隔の観点において１０８トーンユニットに最適化したａ値を決定することもできる。１０８トーンユニットをパイロット数である６で割り算すると１８になるので、１８個のトーン単位においてその中央、すなわち９番目あるいは１０番目のトーンにパイロットが位置すると、等間隔観点での性能が最も良好でありうる。最小距離の観点においてａ，２６＋ａ及び５３-ａのパイロットトーンとこれらのペアを使用することを提案する。この場合、ａが９または１０に近い値でなければならず、２６＋ａが２７あるいは２８に近い値でなければならず、５３-ａが４５または４６に近くなければならない。すなわち、以下の式３を満たすａを使用して、最も良い性能を有するパイロット位置を決定できる。
【０２８７】
【数３】
2017530583.tif 000006
【０２８８】
式３を最小化するａ値は、７または８に決定され、２６トーンユニットと５２トーンユニットの等間隔性能を考慮して、ａは７に提案する。このような実施の形態において、パイロットトーンの位置は、｛７，３３，４６，６３，７６，１０２｝に決定されることができる。
【０２８９】
２）２４２トーンユニットのパイロットトーンの位置
【０２９０】
上述のように、２６トーンユニットのパイロットトーンの位置が｛７，２０｝（または｛ａ，２７-ａ｝）であるから、２４２トーンユニットにおいてパイロットトーンの位置は、図１９のように７，２０，３３，４６，６３，７６，８９，１０２，１１５，１２８，１４１，１５４，１６７，１８０，１９７，２１０，２２３，２３６（あるいはａ，２７-ａ，２６＋ａ，５３-ａ，５６＋ａ，８３-ａ，８２＋ａ，１０９-ａ，１０８＋ａ，１３５-ａ，１３４＋ａ，１６１-ａ，１６０＋ａ，１８７-ａ，１９０＋ａ，２１７-ａ，２１６＋ａ，２４３-ａ）のうち、８個を選択して使用することができる。この場合、７と２３６、２０と２２３、３３と２１０、４６と１９７、６３と１８０、７６と１６７、８９と１５４、１０２と１４１、１１５と１２８（あるいはａと２４３-ａ、２７-ａと２１６＋ａ、２６＋ａと２１７-ａ、５３-ａと１９０＋ａ、５６＋ａと１８７-ａ、８３-ａと１６０＋ａ、８２＋ａと１６１-ａ、１０９-ａと１３４＋ａ、１０８＋ａと１３５-ａ）は、ペアとして共に使用されると、対称性においてより良い性能を有するようになる。このペアをそれぞれｐ１，ｐ２，．．．，ｐ９で表現でき、このような９個のペアのうち、重複なしで４個を選んだときに出てくることができるすべての場合を２４２トーンユニットのパイロットトーンの位置に決定できる。
【０２９１】
追加的に、等間隔の観点において２４２トーンユニットに最適化したａ値を決定することもできる。２４２トーンユニットをパイロット数である８で割り算すると約３０で、残りの２個のトーンは、両端に位置すると仮定する。したがって、３０個のトーン単位においてその中央、すなわち１５番目あるいは１６番目のトーンにパイロットが位置すると、等間隔観点での性能が最も良好でありうる。ただし最初と最後は、３１個のトーンブロックであり、このブロックでは、１６番目のトーンにパイロットが位置すればよい。最小距離の観点において２７-ａ，５３-ａ，８３-ａ，１０９-ａのパイロットトーンとこれらのペアを使用することを提案する。この場合、２７-ａが１６に近い値でなければならず、５３-ａは、４６または４７に、８３-ａは、７６または７７に、１０９-ａは、１０６または１０７にそれぞれ近くなければならない。すなわち、以下の式４を満たすａを使用して、最も良い性能を有するパイロット位置を決定できる。
【０２９２】
【数４】
2017530583.tif 000007
【０２９３】
式４を最小化するａ値は６または７に決定され、２６トーンユニット、５２トーンユニット及び１０８トーンユニットの等間隔性能を考慮して、ａは７に提案する。このような実施の形態において、パイロットトーンの位置は、｛２０，４６，７６，１０２，１４１，１６７，１９７，２２３｝として決定されることもできる。
【０２９４】
図２０は、本発明の他の一実施の形態にかかるパイロットトーン位置決定方法を示す。
【０２９５】
図２０は、図１５（ｃ）及び図１７（ｃ）のようなトーンプランを使用する場合であって、１０８トーン及び２４２トーンに対するパイロットトーンの候補インデックスを示す。
１）１０８トーンユニットのパイロットトーンの位置
【０２９６】
上述のように、２６トーンユニットのパイロットトーンの位置が｛７，２０｝（あるいは｛ａ，２７-ａ｝）であるから、１０８トーンユニットにおいてパイロットトーンの位置は、図２０のように８，２１，３４，４７，６２，７５，８８，１０１（あるいは１＋ａ，２８-ａ，２７＋ａ，５４-ａ，５５＋ａ，８２-ａ，８１＋ａ，１０８-ａ）のうち、６個を選択して使用することができる。この場合、８と１０１、２１と８８、３４と７５、４７と６２（あるいは１＋ａと１０８-ａ、２８-ａと８１＋ａ、２７＋ａと８２-ａ、５４-ａと５５＋ａ）は、ペアとして共に使用されると、対称性においてより良い性能を有するようになる。したがって、１０８トーンユニットにおいてパイロットトーンの位置は、｛８，２１，３４，７５，８８，１０１｝ 、｛８，２１，４７，６２，８８，１０１｝ 、｛８，３４，４７，６２，７５，１０１｝ 、｛２１，３４，４７，６２，７５，８８｝の４個のセットらのうち、一つとして決定されることができる。これは｛１＋ａ，２８-ａ，２７＋ａ，８２-ａ，８１＋ａ，１０８-ａ｝ 、｛１＋ａ，２８-ａ，５４-ａ，５５＋ａ，８１＋ａ，１０８-ａ｝ 、｛１＋ａ，２７＋ａ，５４-ａ，５５＋ａ，８２-ａ，１０８-ａ｝、｛２８-ａ，２７＋ａ，５４-ａ，５５＋ａ，８２-ａ，８１＋ａ｝のような４個のセットで表現できる。
【０２９７】
追加的に、等間隔の観点において１０８トーンユニットに最適化したａ値を決定することもできる。１０８トーンユニットをパイロット数である６で割り算すると１８になるので、１８個のトーン単位においてその中央、すなわち９番目あるいは１０番目のトーンにパイロットが位置すると、等間隔観点での性能が最も良好でありうる。最小距離観点において１＋ａ、２８-ａ（あるいは２７＋ａ）、５４-ａのパイロットトーンとこれらのペアを使用することを提案する。この場合、１＋ａが９または１０に近い値でなければならず、２８-ａが２７あるいは２７＋ａが２８に近い値でなければならず、５４-ａが４５または４６に近くなければならない。すなわち、以下の式５を満たすａを使用して、最も良い性能を有するパイロット位置を決定できる。
【０２９８】
【数５】
2017530583.tif 000008
【０２９９】
式５を最小化するａ値は８に決定され、７の場合にも近接した結果を有するようになるので、２６トーンユニットと５２トーンユニットの等間隔性能を考慮して、ａは７または８に提案する。
【０３００】
２）２４２トーンユニットのパイロットトーンの位置
【０３０１】
上述のように、２６トーンユニットのパイロットトーンの位置が｛７，２０｝（または｛ａ，２７-ａ｝）であるから、２４２トーンユニットにおいてパイロットトーンの位置は、図２０のように、８，２１，３４，４７，６２，７５，８８，１０１，１１５，１２８，１４２，１５５，１６８，１８１，１９６，２０９，２２２，２３５（あるいは１＋ａ，２８-ａ，２７＋ａ，５４-ａ，５５＋ａ，８２-ａ，８１＋ａ，１０８-ａ，１０８＋ａ，１３５-ａ，１３５＋ａ，１６２-ａ，１６１＋ａ，１８８-ａ，１８９＋ａ，２１６-ａ，２１５＋ａ，２４２-ａ）のうち、８個を選択して使用することができる。この場合、８と２３５、２１と２２２、３４と２０９、４７と１９６、６２と１８１、７５と１６８、８８と１５５、１０１と１４２、１１５と１２８（あるいは１＋ａと２４２-ａ、２８-ａと２１５＋ａ、２７＋ａと２１６-ａ、５４-ａと１８９＋ａ、５５＋ａと１８８-ａ、８２-ａと１６１＋ａ、８１＋ａと１６２-ａ、１０８-ａと１３５＋ａ、１０８＋ａと１３５-ａ）は、ペアとして共に使用されると、対称性においてより良い性能を有するようになる。このペアをそれぞれｐ１，ｐ２，．．．，ｐ９で表現でき、このような９個のペアのうち、重複なしで４個を選んだときに出てくることができるすべての場合を２４２トーンユニットのパイロットトーンの位置に決定できる。
【０３０２】
追加的に、等間隔の観点において２４２トーンユニットに最適化したａ値を決定することもできる。２４２トーンユニットをパイロット数である８で割り算すると約３０で、残る２個のトーンは、両端に位置すると仮定する。したがって、３０個のトーン単位においてその中央、すなわち１５番目あるいは１６番目のトーンにパイロットが位置すると、等間隔観点での性能が最も良好でありうる。ただし、最初と最後は、３１個のトーンブロックで、このブロックでは、１６番目のトーンにパイロットが位置すればよい。最小距離観点において２８-ａ、５４-ａ、８２-ａ、１０８-ａのパイロットトーンとこれらのペアを使用することを提案する。この場合、２８-ａが１６に近い値でなければならず、５４-ａは、４６または４７に、８２-ａは、７６または７７に、１０８-ａは、１０６または１０７にそれぞれ近くなければならない。すなわち、以下の式６を満たすａを使用して、最も良い性能を有するパイロット位置を決定できる。
【０３０３】
【数６】
2017530583.tif 000009
【０３０４】
式６を最小化するａ値は、６または７に決定され、２６トーンユニット、５２トーンユニット及び１０８トーンユニットの等間隔性能を考慮して、ａは７に提案する。このような実施の形態において、パイロットトーンの位置は、｛２１，４７，７５，１０１，１４２，１６８，１９６，２２２｝として決定されることもできる。
【０３０５】
図２１は、本発明の一実施の形態にかかるＳＴＡ装置を示す。
【０３０６】
図２１において、ＳＴＡ装置は、メモリ２１０１０、プロセッサ２１０２０及びＲＦユニット２１０３０を含むことができる。そして、上述のように、ＳＴＡ装置は、ＨＥ  ＳＴＡ装置であって、ＡＰまたはｎｏｎ-ＡＰ  ＳＴＡになることができる。
【０３０７】
ＲＦユニット２１０３０は、プロセッサ２１０２０に接続されて無線信号を送信／受信することができる。ＲＦユニット２１０３０は、プロセッサから受信されたデータを送受信帯域にアップコンバートして、信号を送信することができる。
【０３０８】
プロセッサ２１０２０は、ＲＦユニット２１０３０に接続されてＩＥＥＥ  ８０２．１１システムによる物理階層及び／またはＭＡＣ階層を具現できる。プロセッサ２１０３０は、上述の図面及び説明による本発明の多様な実施の形態にかかる動作を行うように構成されることができる。また、上述の本発明の多様な実施の形態にかかるＳＴＡの動作を具現するモジュールがメモリ２１０１０に格納され、プロセッサ２１０２０によって実行されることができる。
【０３０９】
メモリ２１０１０は、プロセッサ２１０２０に接続され、プロセッサ２１０２０を駆動するための多様な情報を格納する。メモリ２１０１０は、プロセッサ２１０２０の内部に含まれるか、またはプロセッサ２１０２０の外部に設置されて、プロセッサ２１０２０と公知の手段により接続されることができる。
【０３１０】
また、ＳＴＡ装置は、一個のアンテナ（ｓｉｎｇｌｅ  ａｎｔｅｎｎａ）または多重アンテナ（ｍｕｌｔｉｐｌｅ  ａｎｔｅｎｎａ）を含むことができる。図２１のＳＴＡ装置の具体的な構成は、上述の本発明の多様な実施の形態で説明した事項が独立的に適用されるか、または２つ以上の実施の形態が同時に適用されるように具現化されることができる。
【０３１１】
図２２は、本発明の一実施の形態にかかるＳＴＡ装置の一部をさらに詳細に示す。
【０３１２】
図２２において、ＳＴＡ装置は、ＦＥＣエンコーダ２２０１０、マッパー（ｍａｐｐｅｒ）２２０２０、パイロット挿入ユニット２２０３０、ＩＤＦＴユニット２２０４０及びアナログ／ＲＦユニット２２０５０を備える。図２２において、ＦＥＣエンコーダ２２０１０、マッパー（ｍａｐｐｅｒ）２２０２０、パイロット挿入ユニット２２０３０、ＩＤＦＴユニット２２０４０は、図２１のプロセッサ２１０２０に含まれることができ、アナログ／ＲＦユニット２２０５０は、図２１のＲＦユニット２１０３０に該当することができる。図２２のＳＴＡ装置は、上述のＨＥ  ＳＴＡの動作を行うことができる。
【０３１３】
ＦＥＣ（Ｆｏｒｗａｒｄ  Ｅｒｒｏｒ  Ｃｏｒｒｅｃｔｉｏｎ）エンコーダ２２０１０は、データビットを決まった符号化方式に従ってエンコードして、符号化されたデータビットを出力できる。ここで、ＦＥＣエンコーダ２２０１０は、エラー訂正コードであって、畳み込みエンコーダ（Ｃｏｎｖｏｌｕｔｉｏｎａｌ  ｅｎｃｏｄｅｒ）、ターボエンコーダ（Ｔｕｒｂｏ  ｅｎｃｏｄｅｒ）またはＬＤＰＣ（Ｌｏｗ  Ｄｅｎｓｉｔｙ  Ｐａｒｉｔｙ  Ｃｈｅｃｋ  ｅｎｃｏｄｅｒ）などにより具現化されることができる。ＦＥＣエンコーダ２２０１０は、畳み込みエンコーダであって、ＢＣＣ（Ｂｉｎａｒｙ  Ｃｏｎｖｏｌｕｔｉｏｎａｌ  Ｃｏｄｅ）エンコードを行うことができる。
【０３１４】
マッパー２２０２０は、星状図マッピングを行うことができる。言い換えれば、マッパー２２０２０は、データビットを決まった変調方式に従って変調して、変調シンボル（すなわち、星状点（ｃｏｎｓｔｅｌｌａｔｉｏｎ  ｐｏｉｎｔ））を出力できる。すなわち、符号化されたデータビットは、マッパー２２０２０によりビットブロックに区分され、各ビットブロックは、振幅と位相を有する星状点（Ｃｏｎｓｔｅｌｌａｔｉｏｎ）に応じる位置を表現する変調シンボルでマッピングされることができる。マッパー２２０２０での変調方式（ｍｏｄｕｌａｔｉｏｎ  ｓｃｈｅｍｅ）には制限がなく、ｍ-ＰＳＫ（ｍ-Ｐｈａｓｅ  Ｓｈｉｆｔ  Ｋｅｙｉｎｇ）またはｍ-ＱＡＭ（ｍ-Ｑｕａｒｄｒａｔｕｒｅ  Ａｍｐｌｉｔｕｄｅ  Ｍｏｄｕｌａｔｉｏｎ）などが使用されることができる。
【０３１５】
パイロット挿入ユニット２２０３０は、送信データにパイロットを挿入できる。言い換えれば、パイロット挿入ユニット２２０３０は、図１４ないし図２０の実施の形態と関連して、上述のように決定された数及び位置に応じてパイロットトーンをサブキャリヤに挿入できる。
【０３１６】
ＩＤＦＴユニット２２０４０は、データにＩＤＦＴを行うことができる。言い換えれば、ＩＤＦＴユニット２２０４０は、マッパー２２０２０から出力される変調シンボルに対してＩＦＦＴまたはＩＤＦＴを行って、時間領域（ｔｉｍｅ  ｄｏｍａｉｎ）のＯＦＤＭシンボルデータを出力できる。
【０３１７】
アナログ／ＲＦユニット２２０５０は、コンプレックスベースバンドウェーブフォームをアップコンバートして信号を送信できる。言い換えれば、アナログ／ＲＦユニット２２０５０は、ベースバンドで処理されたデータ／信号をアップコンバートして送信信号を送信でき、ＲＦユニットと呼ぶこともできる。
【０３１８】
図２３は、本発明の一実施の形態にかかるＳＴＡのデータ送信方法を示したフローチャートである。
【０３１９】
図２３のフローチャートに含まれたステップは、図２２のＳＴＡ装置の説明と共に行われる。ＳＴＡは、ＦＥＣエンコーダを使用して送信データをＦＥＣコンバートできる（Ｓ２３０１０）。また、ＳＴＡは、マッパーを使用して送信データを星状図マッピングできる（Ｓ２３０２０）。また、ＳＴＡは、パイロット挿入モジュールを使用して、送信データにパイロットトーンを挿入できる（Ｓ２３０３０）。また、ＳＴＡは、送信データをＩＤＦＴユニットを使用してＩＤＦＴまたはＩＦＦＴプロセシングできる（Ｓ２３０４０）。また、ＳＴＡは、アナログ／ＲＦユニットを使用して送信データをアップコンバートして送信信号を送信できる（Ｓ２３０５０）。
【０３２０】
本明細書において先に述べたように、ＳＴＡがＯＦＤＭＡスキームを使用する場合、ＳＴＡは、送信信号に含まれた複数のサブキャリヤを少なくとも一つのユーザに割り当てることができる。この場合、ＳＴＡは、信号処理の効率性及び性能を考慮して、複数のサブキャリヤを任意に割り当てられずに、予め設定されたトーンユニット単位で割り当てることができる。特に、予め設定されたトーンユニットに含まれたトーン数は、最大限レガシー８０２．１１システムのトーン数を使用することによって、システム複雑度を低くすることができる。充分なサブキャリヤを確保するために、ＳＴＡは、レガシー８０２．１１システムに比べて４倍のＦＦＴサイズを使用することができる。
【０３２１】
このようなＯＦＤＭＡスキームのサブキャリヤ割り当ての単位になるトーンユニットは、上述のように２６トーンユニット、５２トーンユニット、１０８トーンユニット及び２４２トーンユニットを含み、ＳＴＡは、このようなトーンユニットのうち、少なくとも一つを使用するか、これらの組み合わせを使用してサブキャリヤを割り当てることができる。
【０３２２】
各トーンユニットに挿入するパイロットトーンの数は、レガシー８０２．１１システムとの互換性及びシステム複雑度を考慮して決定されることができる。上述のように、２６トーンユニットは、２個のパイロットトーンを、５２トーンユニットは、４個のパイロットトーンを、１０８トーンユニットは、６個のパイロットトーンを、そして２４２トーンユニットは、８個のパイロットトーンを含むことができる。
【０３２３】
トーンプラン及びパイロットトーンの位置は、システム性能を考慮して信号に含まれたパイロットトーンの対称性及び等間隔性を最大限満たすように決定される。トーンフラット及びパイロットトーンの位置に対しては、図１４ないし図２０において説明したとおりである。例えば、ＳＴＡは、ＯＦＤＭＡのために２６トーンユニットを使用する場合、２６トーンユニットの７番目のトーン及び２０番目のトーンにパイロットトーンを挿入できる。他の例として、ＳＴＡが５２トーンユニットを使用する場合、５２トーンユニットの７番目のトーン、２０番目のトーン、３３番目のトーン及び４６番目のトーンにパイロットトーンを挿入できる。トーンプランの場合にも、５２トーンユニットは、２個の２６トーンユニットを含むことができ、１０８トーンユニットは、２個の５２-トーンユニットと４個のレフトオーバートーンを含むことができ、５２-トーンユニットとレフトオーバートーンの位置は、上述のとおりである。２４２-トーンユニットは、１個の２６トーンユニットと４個の５２-トーンユニットを含むことができ、この場合、２６-トーンユニットをセンターに位置させ、センターの２６-トーンユニットの両側のサイドに２個の５２-トーンユニットを一つずつそれぞれ位置させることができる。
【０３２４】
本発明の思想または範囲から逸脱せずに、本発明において多様な変更及び変形が可能であることは当業者にとって理解できるはずである。したがって、本発明は、添付された請求項及びそれと同等の範囲内で提供される本発明の変更及び変形を含むことが意図される。
【０３２５】
本明細書において装置及び方法発明ともが言及され、装置及び方法発明ともの説明は、互いに補完して適用されることができる。
【０３２６】
多様な実施の形態が本発明を実施するための最善の形態で説明された。
【産業上の利用可能性】
【０３２７】
本発明の無線通信システムにおけるデータ送受信方法は、ＩＥＥＥ  ８０２．１１システムに適用される例を中心に説明したが、ＩＥＥＥ  ８０２．１１システムの他にも多様な無線通信システムに適用することが可能である。
【図１】
2017530583.tif 000010
【図２】
2017530583.tif 000011
【図３】
2017530583.tif 000012
【図４】
2017530583.tif 000013
【図５】
2017530583.tif 000014
【図６】
2017530583.tif 000015
【図７】
2017530583.tif 000016
【図８】
2017530583.tif 000017
【図９】
2017530583.tif 000018
【図１０（ａ）】
2017530583.tif 000019
【図１０（ｂ）】
2017530583.tif 000020
【図１１】
2017530583.tif 000021
【図１２（ａ）】
2017530583.tif 000022
【図１２（ｂ）】
2017530583.tif 000023
【図１３（ａ）】
2017530583.tif 000024
【図１３（ｂ）】
2017530583.tif 000025
【図１４】
2017530583.tif 000026
【図１５（ａ）】
2017530583.tif 000027
【図１５（ｂ）】
2017530583.tif 000028
【図１５（ｃ）】
2017530583.tif 000029
【図１６】
2017530583.tif 000030
【図１７（ａ）】
2017530583.tif 000031
【図１７（ｂ）】
2017530583.tif 000032
【図１７（ｃ）】
2017530583.tif 000033
【図１８】
2017530583.tif 000034
【図１９】
2017530583.tif 000035
【図２０】
2017530583.tif 000036
【図２１】
2017530583.tif 000037
【図２２】
2017530583.tif 000038
【図２３】
2017530583.tif 000039
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
ＷＬＡＮシステムにおけるＳＴＡ装置のデータ送信方法であって、
送信データをＦＥＣエンコードするステップと、
送信データを星状図マッピングするステップと、
送信データにパイロットトーンを挿入するステップと、
送信データに対してＩＤＦＴを行うステップと、
前記送信データをアップコンバートして、送信信号を送信するステップと、を含み、
前記送信信号にＯＦＤＭＡスキームを適用する場合、前記送信信号は、ＯＦＤＭＡスキームのサブキャリヤ割り当ての単位になる少なくとも一つのトーンユニットを含む、ＳＴＡ装置のデータ送信方法。
【請求項２】
前記少なくとも一つのトーンユニットは、２６サブキャリヤを有する第１トーンユニット、２個の前記第１トーンユニットを含む第２トーンユニット、４個の前記第１トーンユニットを含む第３トーンユニットまたは９個の前記第１トーンユニットを含む第４トーンユニットに該当する、請求項１に記載のＳＴＡ装置のデータ送信方法。
【請求項３】
前記トーンユニットは、パイロットトーンを含み、前記第２トーンユニット、前記第３トーンユニットまたは前記第４トーンユニットの前記パイロットトーンの位置は、前記第１トーンユニットのパイロットトーンの位置とアラインメントされる、請求項２に記載のＳＴＡ装置のデータ送信方法。
【請求項４】
前記第２トーンユニットの前記パイロットトーンの位置インデックスは、前記第１トーンユニットのパイロットトーンの位置インデックスと同じである、請求項３に記載のＳＴＡ装置のデータ送信方法。
【請求項５】
前記第３トーンユニット及び前記第４トーンユニットのパイロットトーンの位置インデックスは、前記第１トーンユニットのパイロットトーンから選択されるパイロットトーンの位置インデックスと同じである、請求項３に記載のＳＴＡ装置のデータ送信方法。
【請求項６】
前記第２トーンユニットは、４個のパイロットトーンを含み、前記４個のパイロットトーンの位置インデックスは、前記第２パイロットトーンユニットの４個のパイロットトーンの位置インデックスと同じである、請求項２に記載のＳＴＡ装置のデータ送信方法。
【請求項７】
ＷＬＡＮシステムにおけるＳＴＡ装置であって、
送信データをＦＥＣエンコードするＦＥＣエンコーダと、
送信データを星状図マッピングするマッパーと、
送信データにパイロットトーンを挿入するパイロット挿入ユニットと、
送信データに対してＩＤＦＴを行うＩＤＦＴユニットと、
前記送信データをアップコンバートして、送信信号を送信するＲＦユニットと、を含み、
前記送信信号にＯＦＤＭＡスキームを適用する場合、前記送信信号は、ＯＦＤＭＡスキームのサブキャリヤ割り当ての単位になる少なくとも一つのトーンユニットを含む、ＳＴＡ装置。
【請求項８】
前記少なくとも一つのトーンユニットは、２６サブキャリヤを有する第１トーンユニット、２個の前記第１トーンユニットを含む第２トーンユニット、４個の前記第１トーンユニットを含む第３トーンユニットまたは９個の前記第１トーンユニットを含む第４トーンユニットに該当する、請求項７に記載のＳＴＡ装置。
【請求項９】
前記トーンユニットは、パイロットトーンを含み、前記第２トーンユニット、前記第３トーンユニットまたは前記第４トーンユニットの前記パイロットトーンの位置は、前記第１トーンユニットのパイロットトーンの位置とアラインメントされる、請求項８に記載のＳＴＡ装置。
【請求項１０】
前記第２トーンユニットの前記パイロットトーンの位置インデックスは、前記第１トーンユニットのパイロットトーンの位置インデックスと同じである、請求項９に記載のＳＴＡ装置。
【請求項１１】
前記第３トーンユニット及び前記第４トーンユニットのパイロットトーンの位置インデックスは、前記第１トーンユニットのパイロットトーンから選択されるパイロットトーンの位置インデックスと同じである、請求項９に記載のＳＴＡ装置。
【請求項１２】
前記第２トーンユニットは、４個のパイロットトーンを含み、前記４個のパイロットトーンの位置インデックスは、前記第２パイロットトーンユニットの４個のパイロットトーンの位置インデックスと同一である、請求項８に記載のＳＴＡ装置。
【国際調査報告】
2017530583.tif 000040
2017530583.tif 000041
2017530583.tif 000042
2017530583.tif 000043